(57)【要約】  開示されるのは、使い捨て吸収性物品であって、第１ウエスト領域と、第２ウエスト領域と、第１ウエスト領域と第２ウエスト領域との間に配置されるクロッチ領域と、第１ウエスト領域内のウエスト縁部と、第１ウエスト領域内の少なくとも１つのウエストバンドと、第２ウエスト領域内の少なくとも１つの締結具と、第１ウエスト領域内の少なくとも１つの分離ランディングゾーンであって、横方向内側縁部を含む分離ランディングゾーンとを備え、分離ランディングゾーンとウエストバンドとが重なり合って、第１ウエスト領域内にオーバーラップ領域を形成し、かつウエストバンドが、分離ランディングゾーンの横方向内側縁部とは重なり合わない使い捨て吸収性物品である。
2017500073.tif 000002
【特許請求の範囲】
【請求項１】
第１ウエスト領域と、第２ウエスト領域と、前記第１ウエスト領域と前記第２ウエスト領域との間に配置されるクロッチ領域と、前記第１ウエスト領域内のウエスト縁部と、前記第１ウエスト領域内の少なくとも１つのウエストバンドと、前記第２ウエスト領域内の少なくとも１つの締結具と、前記第１ウエスト領域内の少なくとも１つの分離ランディングゾーンであって、横方向内側縁部を含む分離ランディングゾーンとを備え、前記分離ランディングゾーンと前記ウエストバンドとが重なり合って、前記第１ウエスト領域内にオーバーラップ領域を形成し、かつ前記ウエストバンドが、前記分離ランディングゾーンの前記横方向内側縁部とは重なり合わない、開放型使い捨て吸収性物品。
【請求項２】
前記第１ウエスト領域が、５ｍＪ超の弾力性を有する、請求項１に記載の開放型使い捨て吸収性物品。
【請求項３】
前記第１ウエスト領域が、１０Ｎ未満の剛性を有する、請求項１又は２に記載の開放型使い捨て吸収性物品。
【請求項４】
前記ウエストバンドが不織布材料を含む、請求項１〜３のいずれか一項に記載の開放型使い捨て吸収性物品。
【請求項５】
前記不織布材料の坪量が３０ｇｓｍである、請求項１〜４のいずれか一項に記載の開放型使い捨て吸収性物品。
【請求項６】
ゼロ歪み伸縮性積層体を含む耳部を備える、請求項１〜５のいずれか一項に記載の開放型使い捨て吸収性物品。
【請求項７】
前記第１ウエスト領域が８．５Ｎ未満の剛性を有する、請求項１〜６のいずれか一項に記載の開放型使い捨て吸収性物品。
【請求項８】
前記ウエストバンドが、前記開放型使い捨て吸収性物品の身体に面する面上に取り付けられる、請求項１〜７のいずれか一項に記載の開放型使い捨て吸収性物品。
【請求項９】
前記ウエストバンドが、前記第１ウエスト領域の前記ウエスト縁部と境界を共有する、請求項１〜８のいずれか一項に記載の開放型使い捨て吸収性物品。
【請求項１０】
脚部ガスケットシステムを更に含み、前記ウエストバンドが、前記脚部ガスケットシステムと重なり合う、請求項１〜９のいずれか一項に記載の開放型使い捨て吸収性物品。
【請求項１１】
前記ウエストバンドが、前記脚部ガスケットシステムのスパン内で横方向に終結する、請求項１〜１０のいずれか一項に記載の開放型使い捨て吸収性物品。
【請求項１２】
前記脚部ガスケットシステムが、ポリマーフィルムを含まない、請求項１〜１１のいずれか一項に記載の開放型使い捨て物品。
【請求項１３】
前記脚部ガスケットシステムが、Ｎ−繊維材料を含む、請求項１〜１２のいずれか一項に記載の開放型使い捨て物品。
【請求項１４】
前記ウエストバンドが、少なくとも２つの弾性ストランドを含む、請求項１〜１３のいずれか一項に記載の開放型使い捨て吸収性物品。
【請求項１５】
前記ウエストバンドが、少なくとも３つの弾性ストランドを含む、請求項１〜１４のいずれか一項に記載の開放型使い捨て吸収性物品。
【請求項１６】
前記弾性ストランドの少なくとも１つが、丸い断面形状である、請求項１〜１５のいずれか一項に記載の開放型使い捨て吸収性物品。
【請求項１７】
前記不織布材料及び前記少なくとも２つの弾性ストランドが、第１の歪みの下で組み合わせられ、前記ウエストバンドが、印加ウエストバンド歪みの下で開放型使い捨て吸収性物品に取り付けられ、前記第１の歪みと前記印加ウエストバンド歪みとの間の差が、結果として４０％超の完全なウエストバンド圧密化を有するウエストバンドをもたらす、請求項１〜１６のいずれか一項に記載の開放型使い捨て吸収性物品。
【発明の詳細な説明】
【技術分野】
【０００１】
本開示は、ウエストバンドの性質が改善されて下着により近い物品を実現する、おむつのような開放型使い捨て吸収性物品に関する。この吸収性物品は、その機能特性及び伝達性を改善することもできる。
【背景技術】
【０００２】
乳児や母親は、乳児のトイレのしつけができておむつがとれる時がくるのを望むものなので、それを可能にする、形状順応し下着のようなフィット感を有する使い捨て吸収性物品は彼らにとってより望ましい。したがって、下着をつけているような感覚をもたらし得る吸収性製品は、そうでないものと比べてより望ましいものとなる。下着においてよくみられる特徴の１つは、製品の上部に沿って設けられる、連続的で伸縮可能なウエストバンドであり、それにより、下着を着用している間に、下着の上部が丸まったり、めくれたり、かつ／又はしわが寄ったりするのに抵抗することができるようになる。言い換えると、連続的で伸縮可能なウエストバンドは、下着の上部と着用者の身体との間に、連続的な接触部ができるのを促すものである。このように連続的な接触部ができるように促すことができるのは、ウエストバンドが下着の上縁部において連続的な張力を有するように構成されているからである。したがって、ウエストバンドが連続的で伸縮可能であるため、ウエストバンドのいかなる特定の部位も、身体の表面から遠ざかるように動く（例えば、丸まる、めくれる、及び／又はしわが寄る）ことがエネルギーの面からみてより難しくなるようになっている。加えて、もし、連続的で伸縮可能なウエストバンドのいかなる部位であれ、身体の表面から遠ざかるように実際に動いた場合には、ウエストバンドが連続的で伸縮可能であることで、そのようなウエストバンドが、着用者の身体に接触している本来の位置に回帰することが、エネルギーの面から見てより容易になるようにもなっている。
【０００３】
多くの使い捨て吸収性物品は、開放型（例えば、テープ止め式おむつ）の形態に構成され、着用者の胴体周りに締結され、それにより調節され得るようになっている。上の構造により、吸収性物品は、容易に着脱可能となり、パンツ型の吸収性物品に比べて安価に製造でき、製品が異なる身体の形状や大きさの幅広い範囲の着用者にフィットすることが可能となる。上に述べたような理由により、たとえ開放型の製品であってもなお、下着のような感覚を与えることが望まれている。しかしながら、開放型吸収性物品は、着用者のウエストを取り囲む、連続的で伸縮可能なウエストバンドを有していない。したがって、伸縮可能な材料が、開放型使い捨て吸収性物品のウエスト領域（例えば、前側ウエストバンドのような前側ウエスト面）に用いられた場合、そのような材料は着用者の身体と連続的な接触部を維持することができず、着用中に丸まったり、めくれたり、かつ／又はしわが寄ったりすることが多々あり得る。一例として、この現象は、乳児がテープ式のおむつを着用している場合に、そのおむつの、テープ締結具より上の上部前側領域がめくれあがり、乳児の腹部に接触しなくなっているような場合にしばしば見られるものである。
【０００４】
開放型使い捨て吸収性物品の前側ウエスト領域が丸まったり、めくれたり、かつ／又はしわが寄ったりすることに対する従来の解決方法には、製品の前側の、固定されていない端部を固定するための追加的締結要素が含まれる。しかしながら、締結要素はコストの上昇とともに、着用者の肌に炎症を起こすリスクを増大させることになる。更に、伸縮要素又は非伸縮性ウエスト領域とともに用いられる場合には、追加的締結要素は、伸縮性を制限し、きつい感じの、かつ着用者に取って快適ではないフィット感を創出する場合がある。他の提案された解決法には、高い剛性を有する領域を設けて、製品のウエスト領域に追加的な支持機能をもたせることが含まれる。ウエスト領域における高い剛性は、着用者によりかかる屈曲力又は座屈力に抵抗するものである。しかしながら、この高い剛性は、使用中に着用者の身体が継続的にその形状を変化させるにつれて、着用者の姿勢、呼吸、食物の摂取等により身体に順応しなくなり、それゆえに着用者にとって快適ではない前側ウエスト領域をもたらすことにもなる。
【発明の概要】
【発明が解決しようとする課題】
【０００５】
したがって、安価に製造できる開放型使い捨て吸収性物品においては、伸縮可能な前側ウエスト面（例えば、前側ウエストバンド）を備えた前側ウエスト領域を有することが望ましいが、その前側ウエスト領域が、柔軟性があり、つけ心地が良く、着用者の身体に連続的な接触部を形成するのを促し、丸まったり、めくれたり、あるいはしわが寄ったりするのに抵抗し、そしてもし、前側ウエスト領域が実際に丸まったり、めくれたり、あるいはしわが寄ったりした場合には、着用者の身体と接触していた元の位置に回帰する傾向を有することが望ましい。
【課題を解決するための手段】
【０００６】
１つの実施形態においては、本明細書において詳述される開放型使い捨て吸収性物品であって、第１ウエスト領域と、第２ウエスト領域と、第１ウエスト領域と第２ウエスト領域との間に配置されるクロッチ領域と、第１ウエスト領域内のウエスト縁部と、ウエスト縁部と隣接する第１ウエスト領域内の少なくとも１つのウエストバンドと、及び第２ウエスト領域内の少なくとも１つの締結具とを含み、第１ウエスト領域が、約５ｍＪ超の弾力性と、約１０Ｎ未満の剛性とを有するものである。
【０００７】
他の実施形態においては、本明細書において詳述される開放型使い捨て吸収性物品は、第１ウエスト領域と、第２ウエスト領域と、第１ウエスト領域と第２ウエスト領域との間に配置されるクロッチ領域と、第１ウエスト領域内のウエスト縁部と、ウエスト縁部と隣接する第１ウエスト領域内の少なくとも１つのウエストバンドと、第２ウエスト領域内の少なくとも１つの耳部とを含み、第１ウエスト領域が、第１区域、第２区域、第３区域、第４区域、第５区域、第６区域、第７区域、第８区域、及び第９区域を有し、第２区域の剛性が約１０Ｎ未満であり、２つの隣接する区域の弾力性差が、全区域の平均弾力性の約６０％を超えないものである。
【０００８】
他の実施形態においては、本明細書において詳述される開放型使い捨て吸収性物品であって、第１ウエスト領域と、第２ウエスト領域と、第１ウエスト領域と第２ウエスト領域との間に配置されるクロッチ領域と、第１ウエスト領域内のウエスト縁部と、ウエスト縁部と隣接する第１ウエスト領域内の少なくとも１つのウエストバンドと、第２ウエスト領域内の少なくとも１つの締結具と、第１ウエスト領域内のウエストアセンブリとを含み、ウエストアセンブリが、約７５％超の波状部規則性を有するものである。
【０００９】
他の実施形態においては、本明細書において詳述される開放型使い捨て吸収性物品であって、第１ウエスト領域と、第２ウエスト領域と、第１ウエスト領域と第２ウエスト領域との間に配置されるクロッチ領域と、第１ウエスト領域内のウエスト縁部と、ウエスト縁部と隣接する第１ウエスト領域内の少なくとも１つのウエストバンドと、第２ウエスト領域内の少なくとも１つの締結具と、第１ウエスト領域内のウエストアセンブリとを含み、ウエストアセンブリが、５０％超の波状部一体形状性を有するものである。
【００１０】
他の実施形態においては、本明細書において詳述される開放型使い捨て吸収性物品であって、第１ウエスト領域と、第２ウエスト領域と、第１ウエスト領域と第２ウエスト領域との間に配置されるクロッチ領域と、第１ウエスト領域内のウエスト縁部と、第１ウエスト領域内の少なくとも１つのウエストバンドと、第２ウエスト領域内の少なくとも１つの締結具と、第１ウエスト領域内の少なくとも１つの分離ランディングゾーンであって、横方向内側縁部を含む分離ランディングゾーンとを備え、分離ランディングゾーンとウエストバンドとが重なり合って、第１ウエスト領域内にオーバーラップ領域を形成し、かつウエストバンドが、分離ランディングゾーンの横方向内側縁部とは重なり合わないものである。
【００１１】
他の実施形態においては、本明細書において詳述される開放型使い捨て吸収性物品であって、第１ウエスト領域と、第２ウエスト領域と、第１ウエスト領域と第２ウエスト領域との間に配置されるクロッチ領域と、第１ウエスト領域内のウエスト縁部と、第１ウエスト領域内の少なくとも１つのウエストバンドと、第２ウエスト領域内の少なくとも１つの締結具と、トップシートと、バックシートと、トップシートとバックシートとの間に配置され、第１ウエスト領域内に配置される横方向エッジを有する吸収性コアとを含み、そのコアの横方向エッジは、第１ウエスト領域内のウエスト縁部の内側にあり、吸収性コア及びウエストバンドが重なり合って、第１ウエスト領域内にオーバーラップ領域を形成するものである。
【図面の簡単な説明】
【００１２】
【図１】本明細書において詳述される開放型使い捨て吸収性物品の１つの実施形態の平面図である。
【図２】本明細書において詳述される吸収性物品において用いるのに好適なウエストバンド積層体の１つの実施形態の平面図である。
【図３】本明細書において詳述される吸収性物品１つの実施形態の平面図である。
【図４】本明細書において詳述される吸収性物品において用いるのに好適な折り畳まれた外側レッグカフの１つの実施形態の模式的断面図である。
【図５】本明細書において詳述される吸収性物品において用いるのに好適な折り畳まれた外側レッグカフの１つの実施形態の模式的断面図である。
【図６】本明細書において詳述される吸収性物品において用いるのに好適な吸収性コアの１つの実施形態の模式的断面図である。
【図７】本明細書において詳述される吸収性物品において用いるのに好適な吸収性コアの１つの実施形態の模式的断面図である。
【図８】本明細書において詳述される吸収性物品において用いるのに好適な吸収性コアの１つの実施形態の模式的断面図である。
【図９ａ】本明細書において詳述される吸収性物品において用いるのに好適なウエストバンド積層体の実施形態の模式的断面図である。
【図９ｂ】本明細書において詳述される吸収性物品において用いるのに好適なウエストバンド積層体の実施形態の模式的断面図である。
【図９ｃ】本明細書において詳述される吸収性物品において用いるのに好適なウエストバンド積層体の実施形態の模式的断面図である。
【図９ｄ】本明細書において詳述される吸収性物品において用いるのに好適なウエストバンド積層体の実施形態の模式的断面図である。
【図１０】テンプレートの模式図である。
【図１１】図１の開放型使い捨て吸収性物品の一例の前側ウエスト領域の拡大図である。
【図１２Ａ】規則的で一体の波状部を含んで、弾性を有するようにひだを取ることができる、深く連続的な結合部パターンを有する不織布の１つの実施形態を図示している。
【図１２Ｂ】規則的で一体の波状部を含んで、弾性を有するようにひだを取ることができる、深く連続的な結合部パターンを有する不織布の１つの実施形態を図示している。
【図１２Ｃ】規則的で一体の波状部を含んで、弾性を有するようにひだを取ることができる、深く連続的な結合部パターンを有する不織布の１つの実施形態を図示している。
【図１２Ｄ】規則的で一体の波状部を含んで、弾性を有するようにひだを取ることができる、深く連続的な結合部パターンを有する不織布の１つの実施形態を図示している。
【図１３Ａ】規則的で一体の波状部を含んで、弾性を有するようにひだを取ることができる、深く連続的な結合部パターンを有する不織布の１つの実施形態を図示している。
【図１３Ｂ】規則的で一体の波状部を含んで、弾性を有するようにひだを取ることができる、深く連続的な結合部パターンを有する不織布の１つの実施形態を図示している。
【図１３Ｃ】規則的で一体の波状部を含んで、弾性を有するようにひだを取ることができる、深く連続的な結合部パターンを有する不織布の１つの実施形態を図示している。
【図１３Ｄ】規則的で一体の波状部を含んで、弾性を有するようにひだを取ることができる、深く連続的な結合部パターンを有する不織布の１つの実施形態を図示している。
【図１４】本明細書において詳述される開放型使い捨て吸収性物品において用いるのに好適なウエストバンドの１つの実施形態の写真である。
【図１５】規則的で一体形状の波状部を有しないウエストバンドの写真である。
【図１６】規則的で一体形状の波状部を有しないウエストバンドの写真である。
【図１７】開放型使い捨て吸収性物品の一例の衣類に面した面を上方から見た模式図である。
【図１８】開放型使い捨て吸収性物品の一例の身体に面した面を上方から見た模式図である。
【図１９】開放型使い捨て吸収性物品の一例の身体に面した面を上方から見た模式図である。
【図２０】本明細書において詳述されるような弾力性と剛性とを測定するために用いられる装置の一部位を側方から見た模式図である。
【図２１】本明細書において詳述されるような弾力性と剛性とを測定するために用いられる装置の一部位を正面から見た模式図である。
【図２２】図２０及び２１に図示された装置の検査面に固定された被検体の一例の模式図である。
【図２３】テストワークス（Test Works）４ソフトウェアを弾力性及び剛性の測定に用いた場合に、同ソフトウェアにより収集されるデータをプロットしたグラフの一例である。
【発明を実施するための形態】
【００１３】
本明細書で使用する場合、以下の用語は下記で指定される意味を有するものとする。
吸収性物品に関連しての「使い捨て」は、洗濯、又は別の方法で吸収性物品として復元するか再利用することを一般的に、意図されない（すなわち、単一回の使用の後で廃棄する、好ましくはリサイクル、堆肥化又は環境に適合する方法で廃棄することを意図される）吸収性物品を意味する。
【００１４】
「吸収性物品」とは、身体排出物を吸収及び収容するデバイスを指し、より詳細には、着用者の身体に接して、又は近接して配置されて、身体から排出される様々な排出物を吸収し、収容するデバイスを指す。吸収性物品の例としては、おむつ、トレーニングパンツ、プルオンパンツ型おむつ（即ち、米国特許第６，１２０，４８７号に示されているような予め形成された腰部開口部及び脚部開口部を有するおむつ）、再締結可能なおむつ若しくはパンツ型おむつ、失禁用ブリーフ及び下着、おむつホルダ及びライナー、パンティライナーなどの女性用衛生衣類、吸収性挿入物などが挙げられる。
【００１５】
用語「近位」及び「遠位」は、それぞれ、構造体の長手方向又は横方向の中心線に比較的近い又は遠い要素の位置を指す（例えば、長手方向に延びる要素の近位縁が、同じ要素の末端縁が同じ長手方向中心線に対して配置されるよりも長手方向中心線により近く配置されている）。
【００１６】
「内側の」及び「外側の」とはそれぞれ、吸収性物品の中心線（長手方向又は横方向中心線）に対する、要素の位置を指す。「内側」は、中心線により近い位置を指し、「外側」は、中心線からより遠い位置を指す。
【００１７】
「身体に面する」及び「衣類に面する」とはそれぞれ、要素若しくは要素の表面、又は要素のグループの相対な位置を指す。「身体に面する」とは、要素又は面が他の要素又は面よりも、着用時に着用者により近いことを意味する。「衣類に面する」とは、要素又は面が他の要素又は面より、着用時に着用者からより遠く離れていることを意味する（すなわち、要素又は面が、吸収性のある使い捨て物品の上に着用され得る着用者の衣類に近接する）。
【００１８】
「長手方向の」とは、物品の１つのウエスト縁部から対向するウエスト縁部に実質的に垂直に及び、物品の最大直線寸法にほぼ平行に走る方向を指す。長手方向の４５度以内の方向は「長手方向」であると見なされる。
【００１９】
「横方向の」とは、物品の長手方向縁部から向かい合う長手方向の縁部に及び長手方向にほぼ直角に走る方向を指す。横方向に対して４５度以内の方向は、「横方向」としてみなされる。
【００２０】
「配置される」とは、要素がある特定の場所又は位置に設けられていることを指す。
【００２１】
「接合される」とは、要素が直接的に他の要素に取り付けられることによって要素が直接固定される形態、及び要素が中間の部材に取り付けられ、その中間部材が次に他の要素に取り付けられることによって要素が他の要素に間接的に固定される形態を指す。
【００２２】
「フィルム」とは、材料の長さ及び幅が材料の厚さを大きく上回るシート状材料を指す。典型的には、フィルムは約０．５ｍｍ以下の厚さを有する。
【００２３】
「透水性」及び「不透水性」は、使い捨て吸収性物品の意図された使用に関連する材料の浸透性を指す。具体的には、用語「透水性」は、液体の水、尿又は合成尿が強制圧力がない状態でその厚さを通過できる孔、開口部及び／又は相互に接続された空隙を有する層又は層構造体を指す。逆に、用語「不透水性」は、液体の水、尿又は合成尿が強制圧力（重力等の自然の力とは別に）がない状態でその厚さを通過できない層又は層構造体を指す。この定義により不透水性の層又は層状構造体は、水蒸気に対して透過性であってもよい、すなわち、「蒸気透過性」であってもよい。
【００２４】
「延伸性」及び「延伸可能な」とは、弛緩状態の構成要素の幅又は長さを伸ばす又は増大させることができることを意味する。
【００２５】
「伸縮性」又は「弾性のある」は、構成要素が弾性材から作製された少なくとも一部分を含むことを意味する。
【００２６】
「伸長可能な材料」、「延伸可能な材料」又は「伸縮可能な材料」は、は互換的に使用され、付勢力を加えると、破裂又は破断することなく、ＥＤＡＮＡの２０．２〜８９に規定の方法で測定して弛緩した元の長さの少なくとも約１１０％の伸長した際の長さまで伸びることができ（すなわち、元の長さよりも１０％長く伸びることができ）、加えた力を除くと、完全に破裂又は破断することなく、その伸長した分の長さの約２０％未満という回復をほとんど示さない材料を指す。かかる伸長可能な材料が、加えた力を除いた際に、その伸長した分の長さの少なくとも４０％を回復する場合、その伸長可能な材料は「弾性的」すなわち「エラストマー的」であると考えられる。例えば、１００ｍｍの初期長さを有する弾性材料は、少なくとも１５０ｍｍまで延伸することができ、力を除くと少なくとも１３０ｍｍの長さまで縮む（すなわち、４０％の回復を示す）。材料が、加えた力を除いた際に、その伸長した分の長さの４０％未満しか回復しない場合、そのような伸長可能な材料は、「実質的に非弾性的」又は「実質的に非エラストマー的」であると考えられる。例えば、１００ｍｍの初期長さを有する伸長可能な材料は、少なくとも１５０ｍｍまで延伸することができ、力を除くと少なくとも１４５ｍｍの長さまで縮む（すなわち、１０％の回復を示す）。
【００２７】
「分離ランディングゾーン」とは、締結要素の構成部品を指し、典型的には面ファスナーの雌型係合部であるがそれに限られない。分離ランディングゾーンは、開放型使い捨て物品の衣類に面した面に取り付けられる、分離構成部品である。
【００２８】
「エラストマー材料」は、弾性的性質を示す材料である。エラストマー材料としては、エラストマーフィルム、ストランド、スクリム、不織布、及び他のシート状構造体を挙げることができる。
【００２９】
「パンツ」は、予め成形されたウエスト部及び脚部開口部を有する使い捨て吸収性物品を指す。パンツは、着用者の両脚を脚部開口部に入れ、パンツを滑らせて、着用者の胴体下部の周りの位置に至らせることにより身につけることができる。パンツは、通常、「閉鎖型おむつ」、「締結済おむつ」、「プルオン式おむつ」、「トレーニングパンツ」及び「おむつパンツ」とも呼ばれる。
【００３０】
「開放型」とは、形成済みのウエスト部及び脚部開口部を含まず、おむつを着用者のウエスト周りに固定するために締結具を用いる使い捨て吸収性物品を指す。図１及び３は、開放型使い捨て吸収性物品の例示的な実施例を示す。
【００３１】
「波状部」は、ｚ軸方向の（すなわち、図１のおむつの平面から立ち上がる方向の）材料のひだ部又は変形部を指す。波状部は、「ギャザー」という用語と互換的に用いられ得る。
【００３２】
「規則的な波状部」とは、実質的に単一の主要な頻度で発生する波状部を指す。例えば、規則的な波状部の１つの実施形態は、波状部のピークとピークの間に空間を有し、平均の空白に対してプラスマイナス１ｍｍより大きな違いで変化する空間が、全空間のうち２５％以下にとどまる、波状部のセットである。
【００３３】
「一体形状の波状部」とは、本明細書において波状部一体形状性を計算する方法を論じる際に更に詳述するように、途中で破断又は中断することなく、第１ウエスト領域のウエストアセンブリの長手方向全長にわたって広がる波状部を指す。ウエストアセンブリは、少なくとも１つの面（例えば、身体に面した面又は衣類に面した面）が、一体形状の波状部である波状部が５０％より多くを占める場合に、一体形状波状化していると見なされる。
【００３４】
「ウエストバンド」とは、少なくとも第１ウエスト領域内の分離して適用される構成部品を指し、衣類に面した面又は身体に面した面に適用することができ、あるいは、吸収性物品の層間に挟み込まれる場合もある。
【００３５】
「ウエストアセンブリ」とは、ウエストバンドが分離して適用されうる、吸収性物品の一般的領域を指す。この領域は、吸収性物品の複数の層を一般に含み、それらには、トップシート、バックシート（ミクロ孔質フィルム、及び／又は外側カバー）、分離ランディングゾーン、吸収性アセンブリ（又はその一部）、脚部ガスケットシステム、不透明性強化パッチ等が含まれるが、それらに限られない。吸収性物品はウエストバンドを含み、ウエストバンドは長手方向の長さが２５ｍｍ未満であり、ウエストアセンブリは、第１ウエスト領域のウエスト縁部とウエストバンドの内側縁部との間のエリアとして定義される。ウエストバンドが存在しないか、あるいは吸収性物品のウエストバンドが、長手方向の長さが２５ｍｍよりも長い場合、この領域は、第１ウエスト領域のウエスト縁部と第１ウエスト領域のウエスト縁部に平行でその２５ｍｍ内側にあるラインとの間のエリアとして定義される。
【００３６】
図１は、平坦かつ非収縮状態（すなわち、弾性によって収縮されてない状態）の、開放型使い捨て吸収性物品２０の非限定的実施形態の例の平面図である。吸収性物品２０の衣類に面する面１２０が、図を見る人に面している。吸収性物品２０は、長手方向中心線１００及び横方向中心線１１０を含む。吸収性物品２０は、シャーシ２２を備えている場合がある。吸収性物品２０及びシャーシ２２が、第１ウエスト領域３６、第１ウエスト領域３６に対向する第２ウエスト領域３８、及び第１ウエスト領域３６と第２ウエスト領域３８との間に位置するクロッチ領域３７を有するものとして示されている。ウエスト領域３６及び３８は一般に、着用時に着用者のウエストを取り囲む吸収性物品２０の部位を含む。ウエスト領域３６及び３８は、フィット性及び封入性を改善するように、着用者のウエスト周りでギャザーをなすような弾性要素を含み得る。ウエスト領域３６及び３８は、第１のウエストバンド１０００及び第２のウエストバンド２０００を含んでもよい。クロッチ領域３７は、吸収性物品２０が着用された場合に、着用者の両方の脚の間に概ね位置する、吸収性物品２０の一部位である。
【００３７】
シャーシ２２の外周部は、長手方向縁部１２及びウエスト縁部１４により画定される。長手方向縁部１２は、第１ウエスト領域３６内の長手方向縁部１２の部位である前側長手方向縁部１２ａと、後側ウエスト領域３８内の長手方向縁部１２の部位である後側長手方向縁部１２ｂとに、更に分割されていてよい。シャーシ２２は、長手方向中心線１００と概ね平行に配向され、互いに対向する長手方向縁部１２を有し得る。しかしながら、より良いフィットのためには、長手方向縁部１２は、例えば平面図で見たときに、「砂時計」型のおむつを製造するように、湾曲される、又は角度がつけられている場合がある。シャーシ２２は、横方向中心線１１０に概ね平行に配向され、互いに対向するウエスト縁部１４を有し得る。
【００３８】
シャーシ２２は、液体透過性トップシート２４、バックシート２６、トップシート２４とバックシート２６との間の吸収性コア２８を備え得る。吸収性コア２８は、身体に面する面と衣類に面する面とを有し得る。トップシート２４は、コア２８及び／又はバックシート２６に接合され得る。バックシート２６は、コア２８及び／又はトップシート２４に接合され得る。他の構造体、要素、又は基材がコア２８とトップシート２４及び／又はバックシート２６との間に位置していてもよいことを認識すべきである。ある実施形態において、シャーシ２２は、複合おむつ構造体を形成するために付加される他の機構を備える、吸収性物品２０の主要構造体を含む。トップシート２４、バックシート２６、及び吸収性コア２８は様々な周知の構成で作られ得るが、好ましいおむつの構成が、米国特許第３，８６０，００３号、同第５，１５１，０９２号、同第５，２２１，２７４号、同第５，５５４，１４５号、同第５，５６９，２３４号、同第５，５８０，４１１号、及び同第６，００４，３０６号に一般的に記載されている。
【００３９】
トップシート２４は一般的に、着用者に少なくとも部分的に接触して又は近接して位置し得る。吸収性物品２０の一部位である。好適なトップシート２４は、多孔質発泡体、網状発泡体、有孔プラスチックフィルム、又は天然繊維（例えば、木材又は綿繊維）、合成繊維（例えば、ポリエステル又はポリプロピレン繊維）若しくは天然繊維及び合成繊維の組み合わせの織布又は不織布ウェブ等の広い範囲の材料から製造することができる。トップシート２４は、一般に、着用者の皮膚に対してしなやかで柔らかい感触であり、無刺激性である。一般に、トップシート２４の少なくとも一部分は液体透過性であり、トップシート２４の厚さ方向に容易に液体を透過させることができる。トップシート２４は開口部を備えてもよい。本明細書で有用な１つのトップシート２４は、ＢＢＡ  Ｆｉｂｅｒｗｅｂ社（テネシー州、Ｂｒｅｎｔｗｏｏｄ）から供給元コード０５５ＳＬＰＶ０９Ｕとして入手可能である。
【００４０】
トップシート２４の任意の部分は、当該技術分野において既知のローション又はスキンケア組成物でコーティングされ得る。好適なローションの例としては、米国特許第５，６０７，７６０号、同第５，６０９，５８７号、同第５，６３５，１９１号、及び同第５，６４３，５８８号に記載されるものが挙げられる。トップシート２４は、トップシート２４とコア２８との間に空隙空間を提供するように、全体的又は部分的に弾性化されていても、あるいは短縮化されていてもよい。弾性化された又は短縮化されたトップシートを含む構造体の例が、米国特許第４，８９２，５３６号、同第４，９９０，１４７号、同第５，０３７，４１６号及び同第５，２６９，７７５号に、より詳細に記載されている。
【００４１】
吸収性コア２８は、コアカバー、ダスティング層、及び使い捨ておむつ及びその他の吸収性物品において一般に用いられる広範な種類の液体吸収性材料を備え得る。コアカバー及びダスティング層は、不織布材料又はコアカバー又はダスティング層として用いられ得る、当該技術分野において既知の任意の他の材料から作られ得る。吸収性コアのいくつかの実施形態には、コアカバー又はダスティング層を含まないものがある。
【００４２】
好適な吸収性材料としては、一般にエアフェルト縮みセルロース詰め物と呼ばれる粉砕木材パルプ、コフォームを含むメルトブローポリマー、化学的に剛直化、変性若しくは架橋されたセルロース繊維、ティッシュラップ及びティッシュラミネートを含むティッシュ、吸収性フォーム、吸収性スポンジ、超吸収性ポリマー、吸収性ゲル化材料、又は既知の他の吸収性材料若しくは材料の組み合わせが挙げられる。１つの実施形態においては、吸収性コアの少なくとも一部分は、実質的にセルロースを含まず、１０重量％未満のセルロース繊維、５重量％未満のセルロース繊維、１重量％未満のセルロース繊維、微量のセルロース繊維を含有するか、又はセルロース繊維を含有しない。微量のセルロース材料が、実質的にセルロースを含まない吸収性コアの一部分の厚さ、可撓性、及び吸収性の少なくとも１つに実質的に影響を与えないということは理解されるべきである。他の利点の中でも、吸収性コアの少なくとも一部分が実質的にセルロースを含まないとき、吸収性コアは、１０重量％超のセルロース繊維を含む、同様の吸収性コアよりも著しく薄く、より高い可撓性を有すると考えられる。吸収性コア中に存在する吸収性材料、例えば吸収性粒子状ポリマー材料の量は、異なってもよいが、特定の実施形態においては、吸収性コアの約８０重量％超、又は吸収性コアの約８５重量％超、又は吸収性コアの約９０重量％超、又はコアの約９５重量％超の量で吸収性コア中に存在する。好適な吸収性コアの非限定的な例は、以下により詳細に記載されている。
【００４３】
吸収性コア２８として使用するための吸収性構造体の例は、米国特許第４，６１０，６７８号、同第４，６７３，４０２号、同第４，８３４，７３５号、同第４，８８８，２３１号、同第５，１３７，５３７号、同第５，１４７，３４５号、同第５，３４２，３３８号、同第５，２６０，３４５号、同第５，３８７，２０７号、同第５，３９７，３１６号、及び同第５，６２５，２２２号、に記載されている。
【００４４】
バックシート２６は、一般的に、吸収性物品２０の衣類に面する面１２０の少なくとも一部分であり得るように位置する。バックシート２６は、吸収性物品２０によって、かつ吸収性物品２０内に吸収され収容された排出物が、ベッドシーツや下着など、吸収性物品２０と接触し得る物品を汚すのを防ぐように設計することができる。ある実施形態では、バックシート２６は、実質的に不透水性である。好適なバックシート２６の材料としては、Ｔｒｅｄｅｇａｒ  Ｉｎｄｕｓｔｒｉｅｓ社（インディアナ州、Ｔｅｒｒｅ  Ｈａｕｔｅ）により製造され、商標名Ｘ１５３０６、Ｘ１０９６２、及びＸ１０９６４で販売されているもの等のフィルムが挙げられる。他の好適なバックシート２６の材料としては、蒸気が吸収性物品２０から逃れるのを可能にするが、同時に排出物がバックシート２６を通り抜けるのを防止する通気性材料が挙げられる。通気性材料の例としては、織布ウェブ、不織布ウェブ、フィルムコーティング不織布ウェブなどの複合材料、並びにＥＳＰＯＩＲ  ＮＯの名称で日本のＭｉｔｓｕｉ  Ｔｏａｔｓｕ社により製造されているミクロ孔質フィルム及びＥＸＸＡＩＲＥの名称でＥＸＸＯＮ  Ｃｈｅｍｉｃａｌ社（テキサス州、Ｂａｙ  Ｃｉｔｙ）により製造されているようなミクロ孔質フィルムなどの材料を挙げることができる。ポリマーブレンドを含む好適な通気性複合材料は、名称ＨＹＴＲＥＬブレンドＰ１８−３０９７として、Ｃｌｏｐａｙ社（オハイオ州、Ｃｉｎｃｉｎｎａｔｉ）から入手可能である。このような通気性複合材料は、ＰＣＴ国際特許出願公開第ＷＯ  ９５／１６７４６号及び米国特許第５，８６５，８２３号により詳述されている。不織布及び孔形成フィルムを含む他の通気性バックシートが、米国特許第５，５７１，０９６号に記載されている。好適なバックシートの一例が、米国特許第６，１０７，５３７号に記載されている。表面処理、特定のフィルムの選択及び加工、特定のフィラメントの選択及び加工等をはじめとする他の好適な材料及び／又は製造技術が、好適なバックシート２６を提供するために使用され得るが、使用可能なものは上記のものに限定されない。
【００４５】
バックシート２６は、２層以上の層からも構成され得る。バックシート２６は、外側カバー及び内側層を含み得る。外側カバーは、柔らかい不織布材料から作製され得る。内側層は、実質的に液体不透過性のフィルムから作製され得る。外側カバー及び内側層は、接着剤又は任意の他の好適な材料又は方法によって共に接合されてもよい。特に好適な外側カバーは、供給元コードＡ１８ＡＨ０としてＣｏｒｏｖｉｎ社（ドイツ国、Ｐｅｉｎｅ）から入手可能であり、特に好適な内側層は、供給元コードＰＧＢＲ４ＷＰＲとしてＲＫＷ  Ｇｒｏｎａｕ社（ドイツ国、Ｇｒｏｎａｕ）から入手可能である。本明細書では様々なバックシート構成が考えられているが、本発明の趣旨及び範囲から逸脱することなく様々な他の変更及び修正が可能であることは当業者には明らかである。
【００４６】
吸収性物品２０は、前側耳部４０及び／又は後側耳部４２を含み得る。耳部４０、４２は、延伸可能な場合も、延伸不可能な場合も、弾性のある場合も、あるいは弾性のない場合もある。耳部４０、４２は、不織布ウェブ、織布ウェブ、編布地、ポリマーフィルム及びエラストマーフィルム、有孔フィルム、スポンジ、発泡体、スクリム、並びにこれらの組み合わせ及び積層体から形成され得る。ある特定の実施形態においては、耳部４０、４２は、不織布／エラストマー材料積層体又は不織布／エラストマー材料／不織布積層体のような伸縮性積層体から形成されてよい。伸縮性積層体は、当該技術分野において既知な任意の方法によって形成され得る。例えば、耳部４０、４２は、不織布材料及びエラストマー要素のうちの少なくとも一層を含むゼロ歪伸縮性積層体として形成されてよい。弛緩状態又は実質的に弛緩状態でエラストマー要素が不織布材料の層に貼り付けられ、得られた積層体を、不織布層を恒久的に伸長させ、エラストマー要素を一時的に伸長させる活性化プロセスにかけることにより、その積層体は伸縮可能に（又は、より広い範囲で伸縮可能に）なる。不織布層は、シャーシ２２の少なくとも一部分と一体であってもよく、その場合、エラストマー要素は、不織布層に貼り付けられてもよく、次に不織布／エラストマー要素積層体が活性化される。あるいは、不織布層は、別体の構成部品であってよく、その場合、エラストマー要素が不織布層に貼り付けられて積層体を形成し、次いで本体部分に結合される。耳部の１つ以上の層が、別体で提供される場合、積層体は、本体部分に貼り付けられる前又は後のいずれかで活性化され得る。ゼロ歪み活性化プロセスは米国特許第５，１６７，８９７号及び同第５，１５６，７９３号に更に開示されている。好適な弾性耳部は、２つの不織布層（例えば供給元コードＦＰＮ３３２としてＢＢＡ  Ｆｉｂｅｒｗｅｂ社（テネシー州、Ｂｒｅｎｔｗｏｏｄ）から入手可能）の間に配置されたエラストマーフィルム（例えばＴｒｅｄｅｇａｒ社（バージニア州、Ｒｉｃｈｍｏｎｄ）から供給元コードＸ２５００７として入手可能なものなど）を含む、活性化された積層体であり得る。
【００４７】
耳部４０、４２は別体であっても、又は一体化されていてもよい。別体の耳部は、シャーシ２２に接合される別体の要素として形成される。一体化された耳部は、長手方向縁部１２から横に向かって外側に突出するシャーシ２２の一部である。一体化された耳部は、耳部突出部の形状を含むようにシャーシ形状を切断することで形成され得る。
【００４８】
吸収性物品２０は締結システム５０を含んでもよい。締結される際、締結システム５０は、第１ウエスト領域３６及び第２ウエスト領域３８を相互に連結し、吸収性物品２０の装着時に着用者を取り囲むことができるウエスト囲い部をなす。締結システム５０は例えば、テープタブ、面ファスナーの締結要素、タブ及びスロットのような係合締着具、バックル、ボタン、スナップ、及び／又は雌雄同体締結要素などの締結具を含んでよいが、他の既知のいかなる締結手段も、一般に容認できる。面締結システムの例がいくつか、米国特許第３，８４８，５９４号、同第４，６６２，８７５号、同第４，８４６，８１５号、同第４，８９４，０６０号、同第４，９４６，５２７号、同第５，１５１，０９２号及び同第５，２２１，２７４号に開示されている。インターロック締結システムの一例が、米国特許第６，４３２，０９８号に開示されている。締結システム５０は、米国特許第４，９６３，１４０号に開示されるように、使い捨て構成の物品を保持する手段も提供し得る。締結システム５０はまた、米国特許第４，６９９，６２２号に開示されるように、主要な締結システム及び副次的な締結システムを含む場合もある。締結システム５０は、米国特許第５，２４２，４３６号、同第５，４９９，９７８号、同第５，５０７，７３６号、及び同第５，５９１，１５２号に記載されるように、重なり合っている部分のずれを低減するか、又はフィット性を改善するように構成されてもよい。
【００４９】
本明細書において詳述される使い捨て吸収性物品のウエストバンドにより、吸収性物品は結果として、着用者にとっての快適性、フィット性が改善され、ガスケット性能も改善され得る。しかるべきウエストバンドは改善された製品耐久性及び強度を提供してもよい。本明細書において詳述される使い捨て吸収性物品のウエストバンドはまた、吸収性物品の交換を改善し容易とし得る。
【００５０】
本明細書において詳述される使い捨て吸収性物品の１つの目的は、今日の技術で既知である吸収性物品よりも、吸収性物品の第１及び／又は第２ウエスト領域で、間隙閉鎖性が改善された吸収性物品を供給することである。ウエスト領域で間隙閉鎖性を有することは、より良好なフィット性及び封じ込め性を有する物品を作り出して、ガスケット性能を改善することができる。間隙閉鎖を達成する一つの方法は、吸収性物品の後側ウエスト縁部と同一平面同一広がりを持つウエストバンドを提供することである。適用方法のバリエーションが存在するために、一部の実施形態では、ウエストバンドは吸収性物品の第１及び第２の腰部領域両方に存在してもよい。しかしながら、後側ウエスト領域が間隙閉鎖を提供するには、高収縮のウエストバンド望ましいが、身につけるのを助けるために、前側ウエスト領域においてはより低収縮のウエストバンドを有することがより望ましい。それゆえ、本明細書において詳述される使い捨て吸収性物品の１つの実施形態は、「差のある収縮」、又は前側と後側とで異なる組み込み伸びのストランドを有するウエストバンド積層体であって、単一のウエストバンド積層体のみが切断されるようにしたものに関する。ウエストバンド積層体の切断は、物品へウエストバンドを取り付けた後であり、ウエストバンドは、意図された物品の分離（切断）域にわたって広がるように取り付けられる。このように、同一のウエストバンド積層体は、後側及び前側で異なるレベルの収縮をもたらして、間隙を閉じるのを助けるために後部で高収縮をもたらし、前部では低収縮をもたらすことができる。
【００５１】
１つの実施形態においては、第１の（１０００）ウエストバンド及び第２のウエストバンド（２０００）は、ウエストバンド積層体（３０００）からなる。１つの実施形態においては、ウエストバンド積層体は不織布材料（３１００）からなる。１つの実施形態においては、ウエストバンド積層体はフィルムからなる。１つの実施形態においては、ウエストバンド積層体は、少なくとも２つの弾性ストランド（３２００）、少なくとも４つの弾性ストランド、少なくとも６つの弾性ストランド、少なくとも８つの弾性ストランド、少なくとも１０の弾性ストランド、あるいは少なくとも１２の弾性ストランドからなる。本明細書の説明も図面も主として、弾性ストランドを含むウエストバンド積層体を対象としているが、本明細書の教示するところのもの（例えば、材料の歪み、延伸、比率）は、エラストマーフィルム、発泡体、又はウエストバンド構造体に用いられるその他の伸縮可能な材料を含むウエストバンドの実施形態にも適用可能である。
【００５２】
１つの実施形態においては、第１及び第２のウエストバンドは同一の印加ウエストバンド歪みで物品に取り付けられる。１つの実施形態においては、第１のウエストバンド及び第２のウエストバンドは、弛緩時の長さと比べて約３０％超、約５０％超、約７０％超の歪みで使い捨て吸収性物品に取り付けられる。１つの実施形態においては、第１のウエストバンド及び第２のウエストバンドは、弛緩長さと比べて約１５０％未満、約１２５％未満、約１００％未満、約７５％未満の歪みで使い捨て吸収性物品に取り付けられる。１つの実施形態においては、第１のウエストバンド及び第２のウエストバンドは、弛緩長さと比べて約７０％〜約７５％の歪みで使い捨て吸収性物品に取り付けられる。
【００５３】
１つの実施形態においては、ウエストバンド積層体は、不織布材料及び少なくとも２つの弾性ストランドからなり、少なくとも２つの弾性ストランドの各々は異なる弾性材料である。１つの実施形態においては、弾性ストランドは丸い断面をしているが、他の実施形態では、弾性ストランドは様々な断面形状を有し得る。１つの実施形態においては、弾性ストランドは異なる直径又は異なる断面形状を有する。
【００５４】
１つの実施形態においては、ウエストバンド積層体は、物品への取り付け後、少なくとも２つの弾性ストランドからなるウエストバンド積層体が、各々１つの弾性ストランドを有する２つのウエストバンドを生じ、少なくとも４つの弾性ストランドからなるウエストバンド積層体が、各々２つの弾性ストランドを有する２つのウエストバンドを生じるように、弾性ストランドの間で切断される。図２に示すように、少なくとも６つの弾性ストランドからなるウエストバンド積層体３０００は、切断（切断ライン４０００）したとき、各々が３つの弾性ストランドを有する２つのウエストバンド（１０００、２０００）を生じる。更に、少なくとも８つの弾性ストランドからなるウエストバンド積層体は、各々が４つの弾性ストランドを有する２つのウエストバンドを生じ、少なくとも１０の弾性ストランドからなるウエストバンド積層体は、各々が５つの弾性ストランドを有する２つのウエストバンドを生じ、少なくとも１２の弾性ストランドからなるウエストバンド積層体は、各々が６つの弾性ストランドを有する２つのウエストバンドを生じる。１つの実施形態においては、ウエストバンド積層体は、得られる２つのウエストバンドが、弾性ストランドの不等分布を有するか、又は切断体の一方の側に弾性ストランドを有しないように、切断される。例えば、１０の弾性ストランドを有するウエストバンド積層体は、６つの弾性体を有する１つのウエストバンド及び４つの弾性体を有する１つのウエストバンドを生じてもよい。別の例においては、１０の弾性ストランドを有するウエストバンド積層体は、１０の弾性体を有する１つのウエストバンド及び弾性体を有しない１つのウエストバンドを生じてもよい。１つの実施形態においては、ウエストバンド積層体は中心で切断されて、２つのウエストバンドを生じる。１つの実施形態においては、ウエストバンド積層体は中心を外して切断される。１つの実施形態においては、ウエストバンド積層体は、等間隔に離れた複数の弾性ストランドを有し得る。１つの実施形態においては、ウエストバンド積層体は、積層体中の他の弾性ストランドと比較して、より近い間隔又はより遠い間隔の複数の弾性ストランドを有してもよい。
【００５５】
１つの実施形態においては、ウエストバンドは、物品の長手方向の軸に平行な方向で、約１２ｍｍ超、約１５ｍｍ超、約２０ｍｍ超の長さを有する。１つの実施形態においては、ウエストバンドは、物品の長手方向の軸に平行な方向で約５０ｍｍ未満、約４５ｍｍ未満、約４０ｍｍ未満の長さを有する。１つの実施形態においては、ウエストバンドは、物品の長手方向の軸に平行な方向で約２５ｍｍの長さを有する。
【００５６】
１つの実施形態においては、弛緩した製品中のウエストバンドは、物品の横方向の軸に平行な方向で、約５０ｍｍ超、約７５ｍｍ超、約１００ｍｍ超の長さを有する。１つの実施形態においては、弛緩した製品中のウエストバンドの物品の横方向の軸に平行な方向な長さは、約３００ｍｍ未満、約２５０ｍｍ未満、約２００ｍｍ未満である。
【００５７】
１つの実施形態においては、一方のテープから他方のテープまでの距離と比較して、ウエストバンドのＣＤ長さ比は、約２未満、約１．５未満、約１未満である。
【００５８】
１つの実施形態においては、ウエストバンドは物品の身体に面する面上にある。１つの実施形態においては、ウエストバンドは物品の衣類に面する面上にある。１つの実施形態においては、ウエストバンドは吸収性物品の層間に挟まれている。１つの実施形態においては、ウエストバンドは、第１又は第２のウエスト領域のいずれかの衣類に面する面上及び第１又は第２のウエスト領域のいずれかの身体に面する面上にある。１つの実施形態においては、ウエストバンドは、身体に面する面及び衣類に面する面の両方の上にある。１つの実施形態においては、ウエストバンドは、身体に面する面又は衣類に面する面のいずれかの上にあり、ウエストバンドを備えていない状態の面は、印刷されたウエストバンド形状で印刷される。
【００５９】
１つの実施形態においては、ウエストバンドが弛緩した状態（すなわち、ウエストバンドが収縮した状態）では、一方のテープの縁部から他方のテープの縁部までの距離は、そのサイズの吸収性物品を着用する平均の乳児に関して、乳児のウエスト周囲の平均長さの少なくとも約５０％、平均長さの少なくとも約６０％、平均長さの少なくとも約６５％である。
【００６０】
１つの実施形態においては、ウエストバンド積層体の弾性ストランドは、１つの積層体内で異なる組み込み伸びを有してもよく、切断後、第１の組み込み伸びを有する第１のウエストバンド、及び第２の組み込み伸びを有する第２のウエストバンドを生じ、第１及び第２のウエストバンドは両方とも同一の印加ウエストバンド歪みを有する。組み込み伸びは、組み合わせられている第２の材料（例えば、低坪量の不織布）に対して弾性体に加えられている歪みである。例えば、不織布と組み合わせられているとき、弾性体を１００ｍｍから２５０ｍｍまで延伸すると、それは、（（２５０ｍｍ／１００ｍｍ）−１）×１００％、すなわち１５０％の組み込み伸びであると言われる。次いで、この積層体は弛緩させることができ、ほぼ元の１００ｍｍに戻るが、不織布は２５０ｍｍのままである。弾性体を異なる度合いに歪ませると、１つのウエストバンド積層体内で１種類以上の組み込み伸びがあり得る。例えば、ストランド（１）は、不織布と組み合わせられるとき、１００ｍｍから２５０ｍｍまで伸ばされ、すなわち１５０％の組み込み伸びを有し、一方、ストランド（２）は、不織布と組み合わせられるとき、９０ｍｍから２５０ｍｍまで伸ばされ、すなわち約１７８％の組み込み伸びを有する。
【００６１】
印加ウエストバンド歪みは、吸収性物品と組み合わせられるときウエストバンド積層体に加えられている歪みである。例えば、取り付けられているとき１００ｍｍの積層体を１７０ｍｍまで伸ばすと、それは、（（１７０ｍｍ−１００ｍｍ）／１００ｍｍ×１００％）で、７０％の印加ウエストバンド歪みであると考えられる。１つの実施形態においては、任意の数の弾性ストランドの第１の組み込み伸びは、約１００％、約１２５％、約１４０％、約１５０％、約１６０％、約１７５％、約２００％である。１つの実施形態においては、任意の数の弾性ストランドの第２の組み込み伸びは、約１００％、約１２５％、約１４０％、約１５０％、約１６０％、約１７５％、約２００％である。
【００６２】
１つの実施形態においては、第１の組み込み伸びと第２の組み込み伸びとの間のデルタ（差）は、約２０％超、約３０％超、約４０％超である。
【００６３】
１つの実施形態においては、生じる前部・後部間デルタシャーシ収縮は、約５．０％超、約９．０％超、約９．５％超、約１２．５％超、約１５％超、約２０％超である。
【００６４】
１つの実施形態においては、前部シャーシ収縮又は後部シャーシ収縮のいずれかが、約１８％超、約２０％超である場合には、前部・後部間デルタシャーシ収縮は、約１５％未満、約１２．５％未満、約１０％未満、約９．５％未満、約９％未満である。
【００６５】
本明細書において詳述される使い捨て吸収性物品の他の目的の１つは、当業界で既知のものよりもより良好な厚さ（キャリパー）／クッション性及びウエストバンドの収縮のバランスを提供することである。現在、大多数のウエストバンドは、快適性及び封じ込めに対して良好なクッション／キャリパー性を有するが、収縮の量で限定されるフォーム系であるか、又は弾性ストランドが高歪みで引っ張られ、高収縮をもたらすが、極めて僅かなキャリパー／クッションしか使用に供さない、弾性ストランド及び不織布の組合せである。したがって、本明細書において詳述される使い捨て吸収性物品の１つの実施形態は、より高い第１の歪み（組み込み伸び）の下で組み合わせられた不織布材料及び弾性ストランドを有するウエストバンドを提供する「圧密化（consolidation）」を対象とし、かつウエストバンド中の折り畳まれた不織布が、弛緩した状態と及び伸びた状態／使用中状態との両方の状態でクッション／キャリパーを提供するように、より低い印加ウエストバンド歪の下で物品に取り付けられる、得られるウエストバンドを対象とする。図９はウエストバンド積層体（３０００）の断面図を図示する。図９ａ〜９ｂは、延伸圧密化を行わないウエストバンドの断面を図示する。図９ａは、おむつシャーシ（２２）の横方向の軸に平行な、腰部における弛緩した製品の断面を図示する。図９ｂは、おむつシャーシの横方向の軸に平行な、腰部における延伸した製品の断面を図示する。図９ｃ〜９ｄは、延伸圧密化を行ったウエストバンドの断面を図示する。図９ｃは、おむつの横方向の軸に平行な、腰部における弛緩した製品の断面を示す。図９ｃは、ウエストバンドの周波数及び振幅が、ウエストバンドを適用するシャーシのそれよりも高いということを示す。図９ｄは、おむつの横方向の軸に平行な、腰部における延伸した製品の断面を示す。図９ｄは、シャーシを延伸したときでも、ウエストバンドがギャザー及びキャリパーを更に有するということを示す。
【００６６】
１つの実施形態においては、ウエストバンドは、不織布材料及び少なくとも１つの弾性ストランドを含む積層体からなり、不織布材料及び弾性ストランドは、第１の歪みの下で組み合わせられ、ウエストバンドは、印加ウエストバンド歪みの下で物品に取り付けられる。１つの実施形態においては、第１の歪みは、組み込みストランド伸びとも呼ばれ、約５０％超、約７５％超、約１００％超、約１５０％超、約２００％超、約２２５％超、約２５０％超、約３００％超、約３５０％超、約３７５％超である。１つの実施形態においては、印加ウエストバンド歪みは、ウエストバンド歪みとも呼ばれ、約２５％超、約５０％超、約７５％超、約１００％超である。１つの実施形態においては、第１の歪みと印加ウエストバンド歪みとの間の差は、圧密化とも呼ばれ、約０％超、約６５％超、約７５％超、約１００％超、約１５０％超、約２００％超、約２２５％超、約２５０％超、約３００％超である。
【００６７】
１つの実施形態においては、ウエストバンドは、約９５％超、約１００％超、約１２５％超、約１５０％超、約１７５％超、約２００％超の完全ウエストバンド圧密化を有する。
【００６８】
１つの実施形態においては、ウエストバンドは、約３５％超、約５０％超、約７５％超、約１００％超、約１２５％超、約１７５％超の延伸ウエストバンド圧密化を有する。
【００６９】
１つの実施形態においては、ウエストバンドはウエスト縁部に取り付けられる。１つの実施形態においては、ウエストバンドはウエスト縁部から２０ｍｍ以内に取り付けられる。１つの実施形態においては、ウエストバンドは、ウエスト縁部と同一平面で取り付けられる（すなわち、ウエストバンドはウエスト縁部と同一の広がりを持つ）。１つの実施形態においては、ウエストバンドは一方のウエスト縁部においてのみ存在する。１つの実施形態においては、ウエストバンドは第１及び第２のウエストバンド縁部の両方において存在する。
【００７０】
不織布材料及び弾性ストランドは、接着剤、機械的な接合、又は当該技術分野で既知の任意の他の取り付けの形により組み合わせられてもよい。ウエストバンドは、接着剤接合、機械的な接合、又は当該技術分野で既知の任意の他の取り付けの形により取り付けられてもよい。
【００７１】
１つの実施形態においては、ウエストバンドの弛緩した状態のキャリパーは、約１．６０ｍｍ超、約２．００ｍｍ超、約２．２５ｍｍ超、約２．５０ｍｍ超である。
【００７２】
１つの実施形態においては、ウエストバンドの延伸したキャリパーは、約０．８０ｍｍ超、約１．００ｍｍ超、約１．２５ｍｍ超である。
【００７３】
本明細書において詳述される開放型使い捨て吸収性物品の他の１つの目的は、伸縮可能な前側ウエスト面（例えば、第１ウエストバンド１０００）を有する第１ウエスト領域３６であって、第１ウエスト領域３６に可撓性がありそのつけ心地が快適であり、着用者の身体に連続的な接触部を形成するのを促し、丸まったり、めくれたり、あるいはしわが寄ったりするのに抵抗するような第１ウエスト領域３６を含むことである。更に、本明細書において詳述される開放型使い捨て吸収性物品の第１ウエスト領域３６が実際に丸まったり、めくれたり、あるいはしわが寄ったりする場合にも、第１ウエスト領域３６は、着用者の身体に接触しているその元々の位置を回復する傾向を有している。
【００７４】
先に「背景技術」において説明したように、従来既知の開放型使い捨て吸収性物品は、場合によっては、前側ウエスト領域に高い剛性を有する材料を採用し、着用者の身体からかかる屈曲力及び座屈力を相殺する。しかしながら、この高い剛性は、使用中に、着用者の姿勢、呼吸、食物の摂取等により着用者の身体がその形状を変化させるにつれて、身体に順応しなくなり、それゆえに着用者にとって快適ではない前側ウエスト領域をもたらすことにもなる。したがって、着用者の身体との連続的な接触部を形成するのを促すことに加えて、本明細書において詳述される開放型使い捨て吸収性物品前側ウエストアセンブリは、着用者にとっての快適さを促すため、低い剛性をも有し得る。
【００７５】
十分な力がかかると材料は変形（例えば、屈曲、座屈）し、この力が大きくなればなるほど、材料はより剛性が高いと考えられる。材料の中には、その剛性を超える力がかかると、永久的に又は半永久的に変形してしまうものがある。他の材料には、ある範囲の力の下では可逆的に変形し、力が除かれると元の形状に復帰しようとするものがある（例えば、ばね）。材料がその元々の形状に復帰するために使用することができるエネルギーのことを、その材料の弾力性と定義する。したがって、比較的低い剛性と比較的高い弾力性を有する材料が、開放型使い捨て吸収性物品２０の第１ウエスト領域３６に用いるには望ましい。着用者の身体と連続的な接触部をなすよう促し、丸まったり、めくれたり、かつ／又はしわが寄ったりするのに抵抗する第１ウエスト領域３６を作るにあたっては、第１ウエスト領域は、約５ｍＪ超、約５．５ｍＪ超、約６．０ｍＪ超、約６．１ｍＪ超、約６．２ｍＪ超、約６．３ｍＪ超、約６．４ｍＪ超、約６．５ｍＪ超、約７．０ｍＪ超、約７．５ｍＪ超、約８．０ｍＪ超、約８．５ｍＪ超、約９．０ｍＪ超、約９．５ｍＪ超、約１０．０ｍＪ超、約１０．５ｍＪ超、約１１．０ｍＪ超、約１１．５ｍＪ超、約１２．０ｍＪ超、約１２．５ｍＪ超、約１３．０ｍＪ超、約１３．５ｍＪ超、約１４．０ｍＪ超、約１４．５ｍＪ超、又は約１５．０ｍＪ超の弾力性と、約１１．０Ｎ未満、約１０．０Ｎ未満、約９．０Ｎ未満、約８．０Ｎ未満、約７．０Ｎ未満、約６．０Ｎ未満、約５．０Ｎ未満、又は約４．０Ｎ未満の剛性とを有していてよい。一部の実施形態においては、第１ウエスト領域が、約５．０ｍＪ〜約１５．０ｍＪ、又は約５．０ｍＪ〜約１０．０ｍＪの弾力性を有することが望ましい場合がある。一部の実施形態においては、第１ウエスト領域が、約４．０Ｎ〜約１０．０Ｎ、又は約６．０Ｎ〜約１０．０Ｎの剛性を有することが望ましい場合がある。一部の実施形態においては、第１ウエスト領域が、約５．０ｍＪ超の弾力性と約１０．０Ｎ未満の剛性とを有することが望ましい場合がある。弾力性と剛性とのパラメータは、第１ウエスト領域において、後述の試験方法のセクションで定義されるようにして測定される。第１ウエスト領域３６の弾力性と剛性とを計算するために、開放型使い捨て吸収性物品２０が、第１ウエスト領域３６のウエスト縁部１４の１５ｍｍ内側である、マークした位置３２２で試験される。したがって弾力性及び剛性試験の手順が、詳しくは詳述する、第１ウエスト領域剛性及び第１ウエスト領域弾力性測定法にしたがって、第１ウエスト領域３６の１５ｍｍ分が、支持プラットフォーム３１０の試験面３１１の試験縁部３１８にかかるようにして実行される。
【００７６】
丸まったり、めくれたり、かつ／又はしわが寄ったりしないウエスト面を作るにあたり、製品の前側ウエスト内の、周囲のエリアの弾力性よりも実質的に小さな弾力性のエリアをなくすことが役に立つ場合がある。第１ウエスト領域３６は、使い捨て吸収性物品のウエスト縁部１４に平行に走る９つの区間を含み得る。図１１に図示されているように、第１ウエスト領域３６内で、本明細書において詳述される使い捨て吸収性物品は、第１区域１、第２区域２、第３区域３、第４区域４、第５区域５、第６区域６、第７区域７、第８区域８、及び第９区域９を含み得る。第１区域はその幅が１０ｍｍであり、それ以降の区域はその幅が５ｍｍである。したがって、第１ウエスト領域３６の第１区域１は、ウエスト縁部１４と、ウエスト縁部１４に平行でありウエスト縁部１４から１０ｍｍ内側にある線１０１との間のエリアである。第１ウエスト領域３６の第２区域２は、ウエスト縁部１４に平行で、ウエスト縁部から１０ｍｍ内側にある線１０１と、ウエスト縁部１４に平行で、ウエスト縁部から１５ｍｍ内側にある線１０２との間のエリアである。第１ウエスト領域３６の第３区域３は、ウエスト縁部１４に平行で、ウエスト縁部から１５ｍｍ内側にある線１０２と、ウエスト縁部１４に平行で、ウエスト縁部から２０ｍｍ内側にある線１０３との間のエリアである。第１ウエスト領域３６の第４区域４は、ウエスト縁部１４に平行で、ウエスト縁部から２０ｍｍ内側にある線１０３と、ウエスト縁部１４に平行で、ウエスト縁部から２５ｍｍ内側にある線１０４との間のエリアである。第１ウエスト領域３６の第５区域５は、ウエスト縁部１４に平行で、ウエスト縁部から２５ｍｍ内側にある線１０４と、ウエスト縁部１４に平行で、ウエスト縁部から３０ｍｍ内側にある線１０５との間のエリアである。第１ウエスト領域３６の第６区域６は、ウエスト縁部１４に平行で、ウエスト縁部から３０ｍｍ内側にある線１０５と、ウエスト縁部１４に平行で、ウエスト縁部から３５ｍｍ内側にある線１０６との間のエリアである。第１ウエスト領域３６の第７区域７は、ウエスト縁部１４に平行で、ウエスト縁部から３５ｍｍ内側にある線１０６と、ウエスト縁部１４に平行で、ウエスト縁部から４０ｍｍ内側にある線１０７との間のエリアである。第１ウエスト領域３６の第８区域８は、ウエスト縁部１４に平行で、ウエスト縁部から４０ｍｍ内側にある線１０７と、ウエスト縁部１４に平行で、ウエスト縁部から４５ｍｍ内側にある線１０８との間のエリアである。第１ウエスト領域３６の第９区域９は、ウエスト縁部１４に平行で、ウエスト縁部から４５ｍｍ内側にある線１０８と、ウエスト縁部１４に平行で、ウエスト縁部から５０ｍｍ内側にある線１０９との間のエリアである。
【００７７】
ある実施形態においては、区域１、２、３、４、５、６、７、８、９のうちの２つの隣接する区域間の弾力性の差は、第１ウエスト領域３６内の全区域１、２、３、４、５、６、７、８、９の平均弾力性の約６０％以下である。それを計算式で示すと：隣接する区域間のΔ弾力性＝（（ある区域の弾力性−隣接する区域の弾力性）の絶対値）／全区域の平均弾力性≦６０％他の実施形態においては区域１、２、３、４、５、６、７、８、９のうちの２つの隣接する区域間の弾力性の差は、第１ウエスト領域３６内の全区域１、２、３、４、５、６、７、８、９の平均弾力性の、約４０％、約４５％、約５０％、約６５％、約７０％、約８０％、約９０％、又は約１００％以下である。第１ウエスト領域３６の２つの隣接する区域間の弾力性の差に加えて、開放型使い捨て吸収性製品２０の一部の実施形態は、約１１．０Ｎ未満、約１０．０Ｎ未満、約９．０Ｎ未満、約８．０Ｎ未満、約７．０Ｎ未満、約６．０Ｎ未満、約５．０Ｎ未満、又は約４．０Ｎ未満の剛性を有する第１ウエスト領域３６をも含む。そのような剛性は、第１ウエスト領域３６のウエスト縁部１４から１５ｍｍ内側（すなわち、区域２と区域３を分ける線１０２で）測定される。第１ウエスト領域３６のそれぞれの区域に特定の弾力性パラメータは、後述の試験方法のセクションで定義されるように測定される。第１区域１の弾力性を計算するために、開放型使い捨て吸収性物品２０が、第１ウエスト領域３６のウエスト縁部１４から１０ｍｍ内側のマークした位置３２２で試験される。したがって弾力性及び剛性試験の手順が、詳しくは後述する、第１ウエスト領域剛性及び第１ウエスト領域弾力性測定法にしたがって、第１ウエスト領域３６の１０ｍｍ分が、支持プラットフォーム３１０の試験面３１１の試験縁部３１８にかかるようにして実行される。第２区域２の弾力性を計算するために、開放型使い捨て吸収性物品２０が、第１ウエスト領域３６のウエスト縁部１４の１５ｍｍ内側であるマークした位置３２２で試験される。上述の方法にならって、以下に続く区域の試験が実行される（第３区域３は、ウエスト縁部から２０ｍｍ内側であるマークした位置３２２で試験され、第４区域４は、ウエスト縁部から２５ｍｍ内側であるマークした位置で試験される等々）。
【００７８】
弾力性及び剛性は、材料の物理的構成又は構造、並びに材料の組成に基づいて変化し得る、材料の性質である。本明細書において詳述される開放型使い捨て吸収性物品の１つの実施形態は、その三次元構造を通じて弾力性を獲得する不織布材料を含む。不織布材料にひだを作ることにより、この三次元構造が提供され得る。したがって、以下の構造的要素が、不織布材料の弾力性に影響すると考えられる：厚さ、密度、坪量、一体形状性及び／又は波状部の規則性、縮れた繊維（例えば、縮れた二成分繊維）、異なる歪の層を積層すること、ポリマーの機械的性質、材料が歪みの下で非組成的に変形する能力。
【００７９】
図１に示すように、ウエストバンドが長手方向に２５ｍｍ以上であれば、ウエストアセンブリ３５は、ウエスト縁部１４と、ウエスト縁部１４に平行でウエスト縁部から２５ｍｍ内側にある線２０１との間の第１ウエスト領域３６のエリアである。ウエストバンドが長手方向に２５ｍｍより短い場合には、ウエストアセンブリ３５は、ウエスト縁部１４と、ウエストバンドの内側縁部との間の第１ウエスト領域のエリアとして定義される。理論に縛られずに言えば、開放型使い捨て吸収性物品の第１ウエスト領域３６のウエストアセンブリ３５が、着用者の身体から遠ざかるように屈曲した場合、ウエストアセンブリ３５の身体に面した面のより長い曲率半径のため、身体に面する面は衣類に面する面と比べてより長い経路を移動しようと試みる。このより長い移動経路は、ウエストアセンブリ３５を含む材料の厚さのせいである。波状部をウエストアセンブリ３５内に有することにより、その有効厚さが増加させることができる。したがって、ウエストアセンブリ３５の身体に面する面は、張力のかかった状態に置かれることになる。ウエストアセンブリ３５がより厚い（例えば、坪量がより大きい）材料からなり、かつ／又は波状部がより深くなると、材料の身体に面する面の張力がより大きくなる。この張力により、ウエストアセンブリ３５はその元々の形状に復帰する傾向を有することになる。規則的で一体の波状部は、更に大きな張力を引き起こすが、それはそのような波状部が、エネルギー的により安定的であるからである。逆に、不規則的な波状部は、ウエストバンドに蓄えられた張力が逃げる可能性がある生来の弱い点、又は弱いスポットを、ウエスト領域３５が有することを示し得る。ウエストアセンブリ３５に蓄えられた張力を逃がすと、ウエストアセンブリ３５が立った状態に復帰するために利用できるエネルギーが減ることになり得る。加えて、本明細書において更に詳述されるように、ウエストアセンブリ３５の弾力性は、ウエストバンドの圧密化を通じて増加し得る。
【００８０】
更に、縮れた繊維は、ウエストアセンブリ３５の材料内で、微小なばねとして動作し得る。ウエストアセンブリ３５が屈曲するにつれて、身体に面する面上のばねが延伸し、かつ衣類に面した面のばねが圧縮される。この圧縮／張力が、材料をその元々の形状に復帰させ得る。加えて、歪の差があることにより、身体に面した面のより大きな歪みを弛緩させるために、ウエストアセンブリ３５が特定の方向に（すなわち、身体に向かって）屈曲するようになる場合がある。ウエストアセンブリ３５が身体から遠ざかるように屈曲するにつれて、身体に面した面が、等しい歪みで積層された同等の面よりも、次第により大きくなる歪みの下に置かれるようになる。
【００８１】
波状部は、高価ではない不織布材料に作るのが困難である場合も多い。そのような波状部を作る方法の１つは、比較的厚い不織布に深い結合部パターンを用いて、結合部パターンが吸収性物品のウエストアセンブリ３５の長手方向に延びる縦列を作るようにすることである。そのような不織布が横方向に圧密化した場合、結合部位は座屈する傾向となる一方で、非結合部位は縮まる傾向になり、波状部が作られる。結合部が規則的なパターン状に作られる場合、波状部もまた規則的となる傾向がある。図１２Ａ〜Ｄ及び１３Ａ〜Ｄは、ウエストアセンブリ３５に採用することが可能で、規則的で一体形状の波状部を含む、深く、連続的な結合部パターンを有する不織布の、非制限的な２つの例を図示している。図１２は、図１２Ａに示すように、平坦な不織布内の、規則的で直線的な結合部パターンを図示しており、図１３は、図１３Ａに示すように、平坦な不織布内の、規則的で波打っている結合部パターンを図示している。図１２Ｂ及び１３Ｂは、図１２Ａ及び１３Ａの平坦な不織布内の結合部パターンの、断面プロファイルを図示している。図１２Ｃ及び１３Ｃは、不織布が弾性的に収縮し、それにより、規則的な波状部を形成している際の、結合部パターンの断面プロファイルを図示している。図１２Ｄ及び１３Ｄは、不織布が弾性的に収縮し、それにより、規則的な波状部を形成している際の、結合部パターンの斜視図を図示している。結合部パターンが一体であり、実質的に、ウエストバンド材料の連続的な長手方向寸法にわたって伸びる限りにおいて、他の結合部パターンもまた考えられる。追加的な結合部パターンは、ジグザグの結合部ライン、斜めの結合部ライン、あるいは任意の他のパターンであって、ウエストバンドを横切って横に引かれたラインが、いかなる１本のラインと１回までしか交差しないパターンを含み得る。本明細書において用いられる場合には、「結合部ライン」という用語は、基板上で、基板の繊維が接合された複数の場所を指す。接合は、熱結合、圧接、超音波溶接、糊剤による結合等、様々な手段を通じて実現され得る。複数の場所が接合されて、「ライン」を形成することができる。しかしながら、本明細書において用いられる場合、「ライン」という用語は、近接して離間されており、実質的にはラインに近似されるような、一連の個別の点、又は短いラインを指すこともあり得る。それゆえ、当業者であれば、実線状の結合部パターンが説明されていても、本発明の利益は、実質的にラインに近似される、近接して離間している点又は個別のラインセグメントによって同様に実現可能であるということを認識するであろう。
【００８２】
図１４は、規則的で一体形状のギャザーを含むウエストアセンブリの写真である。図１４のウエストバンドは、波打った結合部パターン（パターンの詳細は、米国特許出願公開第２０１０／２９８７９６号に見られる）を有する、３０ｇｓｍの、サイドバイサイド二成分ポリエチレン／ポリプロピレン不織布から作られたものである。結合部パターン中の結合部は約１ｍｍの幅があり、非結合領域は約２．５ｍｍの幅があり、その波の振幅は約４ｍｍであり、波の頻度は約０．０４ｍｍ−１である。弾性組み込み伸びは９０％であり、印加ウエストバンド歪みは１１％である。図１５は、不規則なギャザーを含むウエストアセンブリの写真である。図１５のウエストバンドは、波打った結合部パターン（パターンの詳細は、米国特許出願公開第２０１０／２９８７９６号に見られる）を有する、１５ｇｓｍの、サイドバイサイド二成分ポリエチレン／ポリプロピレン不織布から作られたものである。結合部パターン中の結合部は約１ｍｍの幅があり、非結合領域は約２．５ｍｍの幅があり、その波の振幅は約４ｍｍであり、波の頻度は約０．０４ｍｍ−１である。弾性組み込み伸びは９０％であり、印加ウエストバンド歪みは１１％である。図１６は、不規則なギャザーを含むウエストアセンブリの写真である。図１６のウエストバンドは、小さなドットからなる結合部パターンを有する、１０ｇｓｍのＳＭＳ不織布から作られたものである。弾性組み込み伸びは９０％であり、印加ウエストバンド歪みは１１％である。すべてのウエストバンド接着剤は、らせん状糊剤である。
【００８３】
より規則的で一体である／一体形状の波状部は、潜在的に、より大きな弾力性を、第１ウエスト領域３６のウエストアセンブリ３５に与える。より一体の波状部を作るためには、結合部の場所の頻度、非結合部の材料の剛性、及び望ましい量の組み込み伸びとをマッチさせることが有利であり得る。１つの非制限的な例として、望ましい組み込み伸びのレベルが約６０％〜約１５０％であり、不織布の坪量が約２０ｇｓｍ〜約７５ｇｓｍである場合には、結合部の頻度は約０．１ｍｍ−１〜約２．０ｍｍ−１が望ましい。本明細書において詳述される開放型使い捨て吸収性物品２０のウエストアセンブリ３５の他の例においては、望ましい組み込み伸びのレベルは、約７５％〜約１１５％、又は約８０％〜約１００％であり、不織布の坪量は約２０ｇｓｍ〜約５０ｇｓｍ、約２５ｇｓｍ〜約４５ｇｓｍ、若しくは約２５ｇｓｍ〜約３５ｇｓｍ、又は約３０ｇｓｍであり、結合部の頻度は、約０．１ｍｍ−１〜約１．５ｍｍ−１、約０．１ｍｍ−１〜約１．０ｍｍ−１、又は約０．１ｍｍ−１〜約０．７５ｍｍ−１であり得る。１つの特定の実施形態においては、ウエストアセンブリ３５は、約９０％の弾性組み込み伸びと、約３０ｇｓｍの不織布の坪量と、約０．５ｍｍ−１の結合部の頻度とを有するウエストバンドを含み得る。
【００８４】
更に、製品が着用される形になった場合に、そのような波状部が存在することがまた重要であり得る。弛緩した状態で波状に見えるような多くのウエストバンドは、実際には平坦な状態でおむつのシャーシに積層され、それゆえ、着用時、おむつの前側が伸ばされた際には、波状部が存在しない。ウエストバンドアセンブリ３５に取り付けるのに先立ってウエストバンドを圧密化すること（本明細書で説明されるように）は、おむつが着用される形になった際にもなお波状部が存在するのを確保するための１つの手段である。
【００８５】
規則的な波状部を作るための他の方法の１つは、吸収性物品の長手方向に、離間した別々の縦列を作り出す糊剤又は他の取り付け手段を使用することである。これらの取り付け手段は、内部的には、伸縮性面の構成部品を組み立てるのに用いることができ（例えば、弾性ストランドを不織布材料に取り付ける）、あるいは、伸縮性面を吸収性物品の他の部分に取り付けるのに用いることができる。この方法はまた、ウエストバンドアセンブリ３５の長手方向の全長にわたる一体形状のギャザーを作るためにも、用いることができる。
【００８６】
規則的な波状部とは、実質的に均等に離間し、実質的に均等なサイズの波状部である。これは、ウエストアセンブリ３５にわたる均等な分配を確保するのを助けるものである。また、不織布は典型的には、大判のウェブであって、全体にわたり実質的に規則的な性質のウェブ形で作られ、波状部のサイズはこのウェブの剛性に依存して決まるので、規則的な波状部を作ることにより、いかなる特定の波状部も、その隣接する波状部と異なるサイズを有するために最適ではない強度を有するようになってしまうことを防ぐことができる。一体形状の波状部とは、第１ウエスト領域３６のウエスト縁部１４からウエストアセンブリ３５の底部まで、破断、中断、あるいは分岐することなく連続している波状部である。破断部、中断部、あるいは分岐部は、波状部構造において弱いスポットを示し得る。
【００８７】
丸まったり、めくれたり、かつ／又はしわが寄ったりしないウエスト面を作るにあたり、前側ウエスト領域３６にわたり、ヒンジ線が形成されるのを可能にするエリア、すなわち、屈曲が起こりやすいエリアをなくすことも有益であり得る。ヒンジ線は、材料が、周囲のエリアと比べてかなりの程度低い屈曲強度を有する場所にできる可能性がある。第１ウエスト領域３６のすべてのエリアに相当程度の剛性を付与することにより、ヒンジ線をなくすことが可能であるが、これでは、着用者にとって快適ではないほどの剛性を有する第１ウエスト領域ができてしまう。ヒンジ線はまた、第１ウエスト領域３６の一部位である、材料又は構成部品の横方向エッジに、典型的に発生し得る。この１つの例は、第１ウエスト領域３６内のウエストバンドの下縁部、又は第１ウエスト領域３６内の吸収性アセンブリの上縁部である。ヒンジ線が発生し得る他のエリアの１つは、特に矩形の締結要素を有する締結システム内の、締結システムの上縁部又は下縁部である。所与の材料が途切れるエリア（例えば、ウエストバンドの横方向縁部）は、通常、第１ウエスト領域３６の厚さが変化するエリアに対応する。理論に縛られずに言えば、厚さは材料の可撓性にとってキーとなる変数であるが、厚さが相当程度変化するエリアは、隣接のエリアに対して相当程度異なる可撓性をもたらし得る。したがって、材料の縁部間で可撓性が滑らかに、急激ではないように遷移するようにすること、すなわち、可撓性変化がより広いエリアにわたって広がるようにすることが望ましい。このことは、材料の縁部間に十分な重なりを確保し、かつ境界線を共にする構成部品又はわずかな空隙を有する構成部品を避けることで効果的に実現することが可能である。
【００８８】
１つの実施形態においては、本明細書において詳述される開放型使い捨て吸収性物品は、第１ウエスト領域と、第２ウエスト領域と、第１ウエスト領域と第２ウエスト領域との間に配置されるクロッチ領域と、第１ウエスト縁部及び第２ウエスト縁部と、第２ウエスト領域内の少なくとも１つの締結具と、第１ウエスト縁部と隣接する第１ウエスト領域内の少なくとも１つのウエストバンドと、トップシートと、バックシートと、トップシートとバックシートとの間に配置される吸収性コアとを含み、第１ウエスト領域が吸収性コアとウエストバンドとの間に重なりを含む。図１９は、本明細書に開示される開放型使い捨て吸収性物品の一例の衣類に面した面を示す。図１９においては、第１ウエスト領域内のウエストバンド１０００が吸収性コア２８と重なり合って、オーバーラップ領域１００２を形成する。既に述べたように、吸収性コア２８は、コアカバー、ダスティング層、及び使い捨ておむつ及びその他の吸収性物品において一般に用いられる広範な種類の液体吸収性材料を備え得る。図示されている実施形態においては、吸収性コア２８の横方向縁部１００４は、第１ウエスト領域２６のウエスト縁部１４の内側にある。オーバーラップ領域１００２は、ウエストバンド１０００の縁部と吸収性コア２８の縁部との間のより滑らかな遷移を実現することができ、それゆえに、可撓性の変化をより広いエリアにわたるように広げることができ、かつ屈曲／座屈が起こるのを減らすことができる。
【００８９】
１つの非制限的な実施形態においては、ウエストバンドは第１ウエスト縁部から２６ｍｍ延伸し、吸収性コアは第１ウエスト縁部から１４ｍｍ離間しており、長手方向に１２ｍｍのオーバーラップ領域を、ウエストバンドと吸収性コアとの間に作り出す。一部の実施形態においては、オーバーラップ領域は長手方向に、約５ｍｍ〜約２５ｍｍ、約７．５ｍｍ〜約２０ｍｍ、又は約１０ｍｍ〜約１５ｍｍの範囲に及ぶ。一部の実施形態においては、オーバーラップ領域は、約２ｍｍ、約４ｍｍ、約６ｍｍ、約８ｍｍ、約１０ｍｍ、約１２ｍｍ、約１４ｍｍ、約１６ｍｍ、約１８ｍｍ、約２０ｍｍ、約２２ｍｍ、約２４ｍｍ、約２６ｍｍ、約２８ｍｍ、又は約３０ｍｍであり得る。
【００９０】
他の１つの実施形態においては、本明細書において詳述される開放型使い捨て吸収性物品は、第１ウエスト領域と、第２ウエスト領域と、第１ウエスト領域と第２ウエスト領域との間に配置されるクロッチ領域と、第１ウエスト縁部及び第２ウエスト縁部と、第２ウエスト領域内の少なくとも１つの締結具と、第１ウエスト領域内の少なくとも１つの分離ランディングゾーンと、第１ウエスト縁部と隣接する第１ウエスト領域内の少なくとも１つのウエストバンドとを含み、第１ウエスト領域が分離ランディングゾーンとウエストバンドとの間に重なりを含む。図１８は、本明細書に開示される開放型使い捨て吸収性物品の一例の身体に面した面を示す。図１７は、本明細書に開示される開放型使い捨て吸収性物品の一例の衣類に面した面を示す。図１７においては、第１ウエスト領域内のウエストバンド１０００は分離ランディングゾーン１００１と重なり合って、オーバーラップ領域１００２を形成する。図示されているこの実施形態においては、分離ランディングゾーン１００１の横方向内側縁部１００３は、ウエストバンド１０００と重なり合っていない。オーバーラップ領域１００２は、ウエストバンド１０００の縁部と分離ランディングゾーン１００１の縁部との間のより滑らかな遷移を実現することができ、それゆえに、屈曲力の変化をより広いエリアにわたるように広げることができ、かつ屈曲／座屈が起こるのを減らすことができる。
【００９１】
１つの非制限的な実施形態においては、ウエストバンドは第１ウエスト縁部から２６ｍｍ延伸し、分離ランディングゾーンは第１ウエスト縁部から１４ｍｍ離間しており、長手方向に１２ｍｍのオーバーラップ領域を、ウエストバンドと分離ランディングゾーンとの間に作り出す。一部の実施形態においては、オーバーラップ領域は長手方向に、約５ｍｍ〜約２５ｍｍ、約７．５ｍｍ〜約２０ｍｍ、又は約１０ｍｍ〜約１５ｍｍの範囲に及ぶ。一部の実施形態においては、オーバーラップ領域は、約２ｍｍ、約４ｍｍ、約６ｍｍ、約８ｍｍ、約１０ｍｍ、約１２ｍｍ、約１４ｍｍ、約１６ｍｍ、約１８ｍｍ、約２０ｍｍ、約２２ｍｍ、約２４ｍｍ、約２６ｍｍ、約２８ｍｍ、又は約３０ｍｍであり得る。
【００９２】
本明細書において詳述される使い捨て吸収性物品のもう１つの目的は、物品の外周部の周りで追加的なガスケットを提供する、脚部ガスケットシステム及び前側／後側ウエストバンド面を統合したもの実現することである。したがって、本明細書において詳述される使い捨て吸収性物品の１つの実施形態は、同様のギャザー数を有し同様の構成を有する、共通の脚部ガスケットシステム及びウエストバンドを提供する、「３６０ガスケット」を対象とする。追加の実施形態は、オーバーラップする脚部ガスケットシステム及びウエストバンド、又は同様の色合い、質感、結合パターン、色、若しくは他のビジュアルキューを有する脚部ガスケットシステム及びウエストバンドを備え得る。図３は、ウエストアセンブリと脚部ガスケットシステムとの両方にギャザーを有する、１つの実施形態を図示している。
【００９３】
１つの実施形態においては、ウエストバンドは、第１ウエスト領域内で脚部ガスケットシステムと重なり合う。１つの実施形態においては、ウエストバンドは、第２ウエスト領域内で脚部ガスケットシステムと重なり合う。１つの実施形態においては、ウエストバンドは、第１ウエスト領域と第２ウエスト領域との両方において、脚部ガスケットシステムと重なり合う。１つの実施形態においては、ウエストバンドは、第１ウエスト領域内の脚部ガスケットシステムのスパン内で横方向に終結し、それにより、第１ウエスト領域内で脚部ガスケットシステムと部分的に重なり合う。１つの実施形態においては、ウエストバンドは、第２ウエスト領域内の脚部ガスケットシステムのスパン内で横方向に終結し、それにより、第２ウエスト領域内で脚部ガスケットシステムと部分的に重なり合う。１つの実施形態においては、ウエストバンドは、第１ウエスト領域内及び第２ウエスト領域内の脚部ガスケットシステムのスパン内で横方向に終結し、第１ウエスト領域内及び第２ウエスト領域内で脚部ガスケットシステムと部分的に重なりあう。
【００９４】
１つの実施形態では、使い捨て吸収性物品は、本明細書で記載するようにウエストバンド及び脚部ガスケットシステムを備え、脚部ガスケットシステムが第１のギャザー数を有し、ウエストバンドが第２のギャザー数を有するが、第１のギャザー数の第２のギャザー数に対する比が約０．５超、約０．７５超、約１．２５超、約１．５０超である。１つの実施形態においては、第１のギャザー数の第２のギャザー数に対する比は約１．００である。１つの実施形態においては、第１のギャザー数の第２のギャザー数に対する比は約０．７５〜約１．２５である。１つの実施形態においては、脚部ガスケットシステムのギャザー数が約１３超であるときは、第１のギャザー数の第２のギャザー数に対する比は約０．７５〜約１．２５である。１つの実施形態においては、ウエストバンドのギャザー数が約１２超であるときは、第１のギャザー数の第２のギャザー数に対する比は約０．７５〜約１．２５である。１つの実施形態においては、吸収性物品がテープ止め式の製品であるときは、第１のギャザー数の第２のギャザー数に対する比は約０．７５〜約１．２５である。
【００９５】
１つの実施形態においては、ウエストバンド及び脚部ガスケットシステムの両方は弾性ストランドを備え、１つの実施形態においては、ウエストバンドは弾性ストランドを備え、１つの実施形態においては、ウエストバンド及び脚部ガスケットシステムは両方とも同じタイプの伸縮性材料及び／又は積層体構造を備える。
【００９６】
１つの実施形態においては、ウエストバンドは３０ｍｍの区域当たり約１０超のギャザー、３０ｍｍの区域当たり約１２超のギャザーを有する。１つの実施形態においては、脚部ガスケットシステムは、３０ｍｍの区域当たり約１０超のギャザー、３０ｍｍの区域当たり約１２超のギャザーを有する。
【００９７】
１つの実施形態においては、ウエストバンドは第１のウエスト縁部及び第２のウエスト縁部内に存在し、脚部ガスケットシステムは、第１の長手方向の縁部及び第２の長手方向の縁部内に存在する。
【００９８】
吸収性物品２０は、ともに２０１１年４月２９日出願の、米国特許出願公開第２０１２／０２７７７１３Ａ１号及び同第２０１２／０２７７７０２Ａ１号に記載されているように、脚部ガスケットシステム７０を含み得る。図４及び５は、脚部ガスケットシステムの例の模式的断面図を示している。脚部ガスケットシステム７０は、内側カフの折り畳まれた縁部７２と内側カフの材料縁部７３とを備える、内側バリアレッグカフ７１を備え得る。脚部ガスケットシステム７０は、外側カフの折り畳まれた縁部７５と外側カフの材料縁部７６とを備える、外側カフ７４を更に備え得る。
【００９９】
１つの実施形態においては、脚部ガスケットシステム７０は、材料の１つのウェブを備える。材料の１つのウェブを有する１つの実施形態は、材料の２つ以上のウェブを有する実施形態に対して、コスト面で有利であり得る。更に、材料の１つのウェブを有する１つの実施形態は、材料の２つ以上のウェブを結合することにより作られるような穴が存在しないため、漏れがより少なくなり得る。また、材料の１つのウェブを有する１つの実施形態は、目に見える機械的な結合部が少ないので、見た目がより美しいものとなり得る。
【０１００】
１つの実施形態においては、脚部ガスケットシステム７０は、内側カフの折り畳まれた縁部７２と内側カフの材料縁部７３とからなる内側バリアレッグカフ７１を有する。脚部ガスケットシステム７０は、外側カフの折り畳まれた縁部７５と外側カフの材料縁部７６とを備える、外側カフ７４を更に備え得る。１つの実施形態においては、材料のウェブは横方向に内側に向かって折り畳まれて外側カフの折り畳まれた縁部７５を形成し、かつ材料のウェブは横方向に外側に向かって折り畳まれて内側カフの折り畳まれた縁部７２を形成する。１つの実施形態においては、脚部ガスケットシステム７０は、第１ウエスト縁部３６から第２ウエスト縁部３８まで延在し、クロッチ領域３７内の内側カフの折り畳まれた縁部７２と外側カフの折り畳まれた縁部７５との間で、トップシート２４及び／又はバックシート２６に接合される。１つの実施形態においては、外側カフの材料縁部７６は、内側カフの材料縁部７３の横方向内側に配置される。
【０１０１】
１つの実施形態においては、外側レッグカフ７４は、外側カフの折り畳まれた縁部７５と外側カフの材料縁部７６との間の横方向アレイに位置する弾性部材７７を備え、また、外側レッグカフ７４は場合によっては、少なくとも２つの弾性部材７７、少なくとも３つの弾性部材７７、少なくとも４つの弾性部材７７、少なくとも５つの弾性部材７７、少なくとも６つの弾性部材７７を含む。１つの実施形態においては、弾性部材７７は、外側カフの折り畳まれた縁部７５と内側カフの材料縁部７３との間に配置され得る。
【０１０２】
１つの実施形態においては、内側バリアレッグカフ７１は、内側カフの折り畳まれた縁部７２のエリア内に、弾性部材７８のアレイを備え、また、内側バリアレッグカフ７１は場合によっては、少なくとも１つの弾性部材７８、少なくとも２つの弾性部材７８、少なくとも３つの弾性部材７８、少なくとも４つの弾性部材７８、少なくとも５つの弾性部材７８を備える。１つの実施形態においては、弾性部材７８は、内側カフの折り畳まれた縁部７２と外側カフの材料縁部７６との間に配置される。
【０１０３】
１つの実施形態においては、脚部ガスケットシステム７０は、内側カフの折り畳まれた縁部７２と内側カフの材料縁部７３とからなる内側バリアレッグカフ７１を有する。脚部ガスケットシステム７０は、外側カフの折り畳まれた縁部７５と外側カフの材料縁部７６とを備える、外側カフ７４を更に備え得る。脚部ガスケットシステムは、内側バリアレッグカフ７１を備える第１材料と、外側カフ７４を備える第２材料とを備え得る。第１材料及び第２材料は重なり合い、任意の好適な結合手段により、それぞれの材料の長手方向縁部に沿って１つに接合され得る。１つの実施形態においては、材料のウェブは横方向に内側に向かって折り畳まれて外側カフの折り畳まれた縁部７５を形成し、かつ材料のウェブは横方向に外側に向かって折り畳まれて内側カフの折り畳まれた縁部７２を形成する。１つの実施形態においては、外側カフ７４の近位縁部は境界を共有している。
【０１０４】
本明細書において詳述される使い捨て吸収性物品の脚部ガスケットシステム７０の利点の１つは、実質的に液体不透過性の材料をカフを構築するために用いる場合に、ポリマーフィルム層をより狭くしてもよく、あるいは全く存在させなくてもよく、その結果より費用対効果の高い設計となることである。信頼性の高い加工を行う接着剤技術を使用することによって、より信頼性の高い性能が得られ、実質的に液体不透過性なシールが作られる。この技術は、余分に重複するシール部に対する必要性を低減させるため、フィルム層を狭くすることが可能となり、吸収性コアよりも若干広い程度の狭いフィルム層とすることが可能となる。
【０１０５】
本明細書において詳述される使い捨て吸収性物品の１つの実施形態においては、バックシートのポリマーフィルムは、吸収性コアよりも約５０ｍｍ未満広いだけであり、場合よっては、約４０ｍｍ未満広いだけ、約３０ｍｍ未満広いだけである。１つの実施形態においては、バックシートのポリマーフィルムは、シャーシの幅よりも少なくとも約２０ｍｍ狭く、場合によってはシャーシの幅よりも少なくとも約４０ｍｍ狭く、場合によってはシャーシの幅よりも少なくとも約６０ｍｍ狭く、場合によってはシャーシの幅よりも少なくとも約８０ｍｍ狭く、場合によってはシャーシの幅よりも少なくとも約１００ｍｍ狭く、場合によってはシャーシの幅よりも少なくとも約１２０ｍｍ狭い。
【０１０６】
本明細書において詳述される使い捨て吸収性物品の１つの実施形態においては、不透明性強化パッチ８０が含まれ得る。不透明性強化パッチ８０は、材料の追加的な層である。不透明性強化パッチ８０は、脚部ガスケットシステム７０、ポリマーフィルム層、又はバックシート２６に接続され得る。不透明性強化パッチ８０は、物品の第１ウエスト領域３６若しくは第２ウエスト領域３８内、又は第１ウエスト領域３６と第２ウエスト領域３８の両方内の、バックシート２６と脚部ガスケットシステム７０との間に配置され得るが、不透明性強化パッチ８０は、脚部ガスケットシステム７０又はポリマーフィルム層のうち少なくとも１つと重なり合う場合がある。適用プロセス又は着用時に生じる荷重を、物品のウエスト縁部から脚部ガスケットシステム７０及び／又はポリマーフィルム層に移すことができるように、不透明性強化パッチ８０は、糊剤、機械的接合、熱接合等の任意の好適な手段により、脚部ガスケットシステム７０若しくはポリマーフィルム層のいずれか一方又は両方に取り付けられ得る。不透明性強化パッチは、物品の適用及び着用時の過度の延伸の防止に必要とされる強度を付与するのに有用であり、使用者の皮膚が物品を通して透けて見えるのを防止するために側面及びウエスト部において不透明性を付与することもできる。したがって、パッチ８０は、強度及び不透明性が望ましい、シャーシの任意の部分に位置していてよい。不透明性強化パッチとして機能するのに好適な材料には、少なくとも約１０ｇｓｍ、少なくとも約１５ｇｓｍ、少なくとも約２５ｇｓｍの坪量を有する材料が挙げられる。本明細書で有用な不透明性強化パッチは、２．５ｃｍ（１インチ）幅の試料に対して２％の工学歪みにおいて０．４Ｎ、２．５ｃｍ（１インチ）幅の試料に対して５％の工学歪みにおいて１．２５Ｎ、２．５ｃｍ（１インチ）幅の試料に対して１０％の工学歪みにおいて２．５Ｎの横方向の引張特性を呈してもよい。本明細書において有用な１つの不透明性強化パッチは、Ｐｅｇａｓ社（チェコ国、Ｚｎｏｊｍｏ）から、供給元番号８０３９６８として入手可能である。
【０１０７】
１つの実施形態においては、脚部ガスケットシステム７０の材料は、実質的に液体不透過性の材料から作られる。材料は、ＳＭＳ不織布材料、ＳＭＭＳ不織布材料、又は「Ｎ−繊維」を含む不織布成分層からなる群から選択されてもよい。一部の実施形態においては、脚部ガスケットシステムの材料は、その構成中にポリマーフィルムを含まない。
【０１０８】
様々な不織布繊維ウェブが、スパンボンド、メルトブローン、スパンボンド（ＳＭＳ）ウェブを含み得るが、これは、スパンボンド熱可塑性物質（例えばポリオレフィン）の外側の２層と、メルトブローン熱可塑性物質の内側層とを備えるものである。本明細書において詳述される使い捨て吸収性物品の１つの実施形態においては、脚部ガスケットカフ７０は、他の不織布成分層に添加されるか又はそれと他の方法で組み込まれて、材料の不織布ウェブを形成する、１ミクロン未満の平均直径の細い繊維（「Ｎ−繊維」）を有する不織布成分層（「Ｎ−繊維層」）を含む。一部の実施形態においては、Ｎ−繊維層は、例えば、ＳＮＳ不織布ウェブ又はＳＭＮＳ不織布ウェブを生産するために使用されてもよい。Ｎ−繊維は、国際特許出願公開第ＷＯ  ２００５／０９５７００号及び米国特許出願第１３／０２４，８４４号に更に説明されている。
【０１０９】
１つの実施形態においては、吸収性物品は、米国特許第７，７５０，２０３号、同第７，７４４，５７６号、及び米国特許出願公開第２００８／０３１２６１７Ａ１号に記載されている、実質的にセルロースを含まない吸収性コア２８を備える。好適な吸収性コアの実施例の断面図が、図６〜図８に模式的に示されている。１つの実施形態においては、吸収性コア２８は、材料の第１の層２８１及び第２の層２８２、並びに第１の層２８１と第２の層２８２との間に配置された吸収性材料２８３を備える。１つの実施形態においては、材料の第１及び第２の層は、不織布繊維ウェブ、織布繊維ウェブ、及び熱可塑性接着材料の層のうちの少なくとも１つから選択される繊維材料であり得る。第１の層及び第２の層は、同一の材料から作製されてもよいが、１つの実施形態においては、第１の層２８１は不織布繊維ウェブであり、第２の層２８２は、熱可塑性接着材料の層である。不織布繊維ウェブ２８１は、例えばＰＥ、ＰＥＴ、及びＰＰの単成分繊維、また例えばサイドバイサイド、コア／シース、又はアイランドインザシータイプの多成分繊維のような合成繊維を含み得る。そのような合成繊維は、スパンボンドプロセス又はメルトブロープロセスを介して形成されてもよい。不織布繊維ウェブ２８１は、一層の繊維層を含んでもよいが、多層の繊維層、例えば多層のスパンボンド繊維層、多層のメルトブロー繊維層、又は個別のスパンボンド繊維層と個別のメルトブロー繊維層（複数の）を組み合わせたものを有する不織布ウェブを提供することも有利であり得る。１つの実施形態においては、不織布ウェブ２８１は、ウェブの繊維の表面エネルギーを増加させる薬剤（例えば、界面活性剤）で処理されてもよい。このような薬剤は、尿などの液体に対する不織布ウェブの透過性を高めるものである。他の実施形態においては、不織布ウェブは、不織布ウェブの繊維の表面エネルギーを低下させる薬剤（例えば、シリコーン）で処理されてもよい。このような薬剤は、尿などの液体に対する不織布ウェブの透過性を低くするものである。
【０１１０】
第１の層２８１は、第１の表面２８１１と第２の表面２８１２とを有し、第１の表面の少なくとも領域２８１３は、かなりの量の吸収性材料２８３と直接面する関係にある。１つの実施形態においては、吸収性材料が、あるパターンにおいて第１の表面２８１１上に堆積され、かなりの量の吸収性高分子材料２８３に直接面する関係にある第１の層２８１上の領域２８１３と、ほんのわずかな量の吸収性材料とのみ面する関係にある第１のウェブ上の領域２８１４とを形成する。「かなりの量の吸収性材料に直接面する関係」とは、一部の吸収性材料が、少なくとも１００ｇ／ｍ２、少なくとも２５０ｇ／ｍ２、又は少なくとも５００ｇ／ｍ２の坪量で領域２８１３の上に堆積されるという意味である。パターンは、全てが同じ形状及び寸法（すなわち投影された表面エリア及び／又は高さ）を有する領域を有してもよい。代替的なパターンでは、異なる形状又は寸法を有する領域を含み、段階的に変化する領域を形成してよい。
【０１１１】
１つの実施形態においては、第２の層２８２は、熱可塑性接着材料の層である。「熱可塑性接着材料」は、本明細書で使用する場合、それから繊維が形成され、乾燥した状態及び濡れた状態の両方において吸収性材料を固定する目的で吸収性材料に塗布されるポリマー組成物であると理解される。熱可塑性接着材料の非限定的な例は、単一の熱可塑性ポリマー又は複数の熱可塑性ポリマーをブレンドしたものを含み得る。熱可塑性接着材料はまた、少なくとも１つの熱可塑性ポリマーを、粘着付与樹脂、可塑剤、及び酸化防止剤などの添加剤のような他の熱可塑性希釈剤と組み合わせて含むホットメルト接着剤であってもよい。ある実施形態においては、熱可塑性ポリマーは、典型的には、１０，０００超の分子量（Ｍｗ）と、通常は室温よりも低い、あるいは−６℃より高く１６℃より低いガラス転移温度（Ｔｇ）とを有する。ある実施形態においては、ホットメルト内のポリマーの典型的な濃度は、約２０重量％〜約４０重量％の範囲内である。ポリマーの例には、Ａ−Ｂ−Ａ三元ブロック構造、Ａ−Ｂ二元ブロック構造、及び（Ａ−Ｂ）ｎ放射状ブロックコポリマー構造を含む（スチレン）ブロックコポリマーがあり、Ａブロックは、典型的にはポリスチレンを含む、非エラストマーポリマーブロックであり、Ｂブロックは、不飽和共役ジエン又はその（部分的に）水素添加した物である。Ｂブロックは一般的に、イソプレン、ブタジエン、エチレン／ブチレン（水素添加ブタジエン）、エチレン／プロピレン（水素添加イソプレン）、及びこれらの混合物である。使用可能な他の好適な熱可塑性ポリマーは、単一サイト触媒又はメタロセン触媒を用いて調製されるポリマーである、メタロセンポリオレフィンである。実施形態のいくつかの例においては、粘着付与樹脂は、典型的には５，０００未満の分子量（Ｍｗ）と、通常、室温よりも高いＴｇとを有し、ホットメルト中の樹脂の典型的な濃度は、約３０重量％〜約６０重量％の範囲内であり、可塑剤は典型的には１，０００未満の低い分子量（Ｍｗ）と、室温よりも低いＴｇを有し、典型的な濃度は約０％〜約１５％である。
【０１１２】
熱可塑性接着材料２８２は、吸収性材料２８３内に実質的に均一に配置されてもよい。代替としては、熱可塑性接着材料２８２は、吸収性材料２８３のと、僅かな量の吸収性材料とのみ面する関係にある第１の表面２８１１の領域２８１４との上に配置される繊維層として提供可能である。１つの実施形態においては、熱可塑性接着材料は、１ｇ／ｍ２〜２０ｇ／ｍ２、１ｇ／ｍ２〜１５ｇ／ｍ２、又は２ｇ／ｍ２〜８ｇ／ｍ２の量で適用される。第１の層２８１上の吸収性材料の不連続な堆積は、熱可塑性材料２８２の繊維層に、本質的に三次元構造体を付与する。換言すれば、熱可塑性接着材料の層は、第１の不織布繊維ウェブ２８１上に堆積された吸収性材料２８３と、わずかな量の吸収性材料のみを含む領域２８１４とから生じるトポグラフィに従う。理論に縛られずに言えば、本明細書に開示される熱可塑性接着材料は、乾燥及び湿潤状態における吸収性材料の固定化を強化すると考えられる。
【０１１３】
１つの実施形態においては、吸収性コア２８は、不織布繊維材料２８４の第２の層を更に含み得る。この第２の層は、不織布繊維層２８１と同一の材料から提供されてもよく、あるいはその代わりに、異なる材料から提供されてもよい。第１の不織布繊維層２８１と第２の不織布繊維層２８４を異ならせて、これらの層が異なる機能性を有するようにすることは有利であり得る。
【０１１４】
領域２８１３は、吸収性コアのｘ−ｙ次元に任意の適当な形状を有してもよい。１つの実施形態においては、領域２８１３は、第１のウェブ２８１の第１の表面上に広がる円板のパターンを形成する。１つの実施形態においては、領域２８１３は、吸収性コアの長手方向軸線に沿って（すなわち、ｙ次元に沿って）連続的に延在する、長手方向の「ストリップ」のパターンを形成する。代替的な１つの実施形態においては、これらのストリップは、吸収性物品の長手方向軸線に対して、１０°〜９０°、２０°〜８０°、３０°〜６０°、又は４５°の角度を形成するように配列されてもよい。
【０１１５】
１つの実施形態においては、既に述べたように、第２の不織布層２８４は第１の表面２８４１と、第２の表面２８４２と、第１の表面２８４１に塗布される吸収性材料２８３とを有し、そのかなりの量の吸収性材料２８３と直接面する関係にある領域２８４３と、第１の表面上にあり、ほんのわずかな量の吸収性材料のみと面する関係にある領域２８４４とのパターンを形成する。１つの実施形態においては、第１のウェブ／吸収性材料／熱可塑性接着材料複合体との関連で既に述べたように、熱可塑性接着材料２８５が、第２の不織布層２８４の上に更に塗布されてもよい。次いで、第２の不織布層２８４は、第１の不織布層２８１の上面に取り付けられてもよい。１つの実施形態においては、第２の不織布層２８４上に存在する吸収性材料のパターンは、第１の不織布層２８１上に存在する吸収性材料のパターンと同一であってもよい。他の実施形態においては、第１の不織布層上に存在する吸収性材料のパターンと第２の不織布層上に存在する吸収性材料のパターンとは、領域の形状、領域の投影した表面エリア、領域上に存在する吸収性材料の量、及び、領域上に存在する吸収性材料のタイプ、のうちの少なくとも１つに関して異なる。
【０１１６】
吸収性コア２８はまた、図面には示されていない補助接着剤を含んでもよい。吸収性材料の接着性、及び熱可塑性接着材料２８２、２８５の対応する不織布層２８１、２８４への接着性を向上させるために、吸収性材料２８３の塗布前に、補助接着剤が、第１の不織布層２８１及び第２の不織布層２８４の少なくとも１つ、又は両方の上に堆積されてもよい。補助接着剤は、吸収性材料を固定する助けともなり得るが、既に述べたのと同じ熱可塑性接着材料を含んでいてもよく、あるいは、Ｈ．Ｂ．Ｆｕｌｌｅｒ社（ミネソタ州、Ｓｔ．Ｐａｕｌ）製の製品番号ＨＬ−１６２０−Ｂのような噴霧可能なホットメルト接着剤を含むがそれに限られない他の接着剤をも含み得る。補助接着剤は、任意の好適な手段によって不織布層２８１、２８４に塗布されてもよいが、ある実施形態によれば、約０．５ｍｍ〜約２ｍｍ離間した、幅約０．５ｍｍ〜約１ｍｍのスロットに塗布されてもよい。好適な吸収性材料２８３の非限定的な例には、吸収性ポリマー材料、遠心分離保持容量試験（Ｅｄａｎａの４４１．２−０１に規定）を用いて測定したときに、０．９％の食塩水溶液を、その重量の少なくとも５倍吸収可能な架橋されたポリマー材料のような、吸収性ポリマー材料が挙げられる。１つの実施形態においては、吸収性材料２８３は、乾燥した状態で流動可能なように粒子状形態である吸収性ポリマー材料である。
【実施例】
【０１１７】
【表１】
2017500073.tif 000003
（１）フィリピン製、Ａｎｅｒｌｅテープ止め式おむつ、Ｌサイズ（９〜１３ｋｇ）、ＳＫＵ  ９０３２４４９５２２０、ロット２０１２１００９  ＷＰ０７１１５７Ｃ９２３６、緑色発泡体を挟んだウエストバンド
（２）北米製、Ｐａｒｅｎｔｓ  Ｃｈｏｉｃｅテープ止め式おむつ（２）、ロット９３４４  Ｍ０２  １７５９  Ｓ−１８５５、白色発泡体を挟んだウエストバンド
（３）日本製、Ｍｏｏｎｙテープ止め式おむつ、ロット９１０１９３０７１、緑色発泡体を挟んだウエストバンド
（４）Ｈｕｇｇｉｅｓ  Ｂａｂｙ  Ｓｔｅｐｓ（米国、１９９１）、サイズ４、ロット３Ｕ２５１９１０２４８、青色フィルム内の白色発泡体を挟んだウエストバンド
（５）Ｈｕｇｇｉｅｓ  Ｓｕｐｒｅｍｅ  ２００１、サイズ４、ロットＮＭ１２７５０１Ｆ０７５５、白色フィルム中の小デニールの弾性ストランド付きの緑色不織布ウエストバンド
（６）Ｄｒｙｐｅｒｓ（米国）、Ｌサイズ、９／８／１９９８、白色フィルム中の白色発泡体を挟み込んだウエストバンド
【０１１８】
【表２】
2017500073.tif 000004
Ａ−組み込み伸び：１５０％；ウエストバンド歪み：１５０％；前側／後側のデルタ組み込み伸び：０
Ｂ−組み込み伸び：２００％；ウエストバンド歪み：２００％；前側／後側のデルタ組み込み伸び：０
Ｃ−組み込み伸び：１５０％；ウエストバンド歪み：１３０％；前側／後側のデルタ組み込み伸び：２０
Ｄ−組み込み伸び：２００％；ウエストバンド歪み：１８０％；前側／後側のデルタ組み込み伸び：２０
Ｅ−組み込み伸び：１５０％；ウエストバンド歪み：１１０％；前側／後側のデルタ組み込み伸び：４０
Ｆ−組み込み伸び：２００％；ウエストバンド歪み：１６０％；前側／後側のデルタ組み込み伸び：４０
Ｇ−組み込み伸び：１５０％；ウエストバンド歪み：１００％；前側／後側のデルタ組み込み伸び：５０
Ｈ−組み込み伸び：２００％；ウエストバンド歪み：１４０％；前側／後側のデルタ組み込み伸び：６０
Ｉ−組み込み伸び：２００％；ウエストバンド歪み：１２０％；前側／後側のデルタ組み込み伸び：８０
Ｊ−組み込み伸び：２００％；ウエストバンド歪み：１００％；前側／後側のデルタ組み込み伸び：１００
【０１１９】
【表３】
2017500073.tif 000005
（７）Ｈｕｇｇｉｅｓ  Ｓｎｕｇ  ＆  Ｄｒｙ、サイズ４、ロット番号ＢＩ  １０３１０８Ｂ
（８）Ｈｕｇｇｉｅｓ  Ｌｉｔｔｌｅ  Ｍｏｖｅｒｓ、サイズ３、ロット番号ＢＩ  ０２４６１０Ｂ
（９）Ｈｕｇｇｉｅｓ  Ｏｖｅｒｎｉｇｈｔ、サイズ４、ロット番号ＰＡ  ０２７１０４Ｆ
Ｋ−７５％組み込み伸び及び７５％ウエストバンド歪み
Ｌ−１５０％組み込み伸び及び７５％ウエストバンド歪み
Ｍ−２２５％組み込み伸び及び７５％ウエストバンド歪み
Ｎ−３００％組み込み伸び及び７５％ウエストバンド歪み
Ｏ−３７５％組み込み伸び及び７５％ウエストバンド歪み
【０１２０】
【表４】
2017500073.tif 000006
Ｐ−１５０％組み込み伸び、７５％ウエストバンド歪み
Ｒ−１５０％組み込み伸び、７５％ウエストバンド歪み
Ｑ−１５０％組み込み伸び、７５％ウエストバンド歪み
【０１２１】
【表５】
2017500073.tif 000007
【０１２２】
Ｓ−以下の構成のウエストバンドを有する第１ウエスト領域の一例：波打った結合部パターン（パターンの詳細は、米国特許出願公開第２０１０／２９８７９６号に見られる）を有する、３０ｇｓｍの、サイドバイサイド二成分ポリエチレン／ポリプロピレン不織布。結合部は約１ｍｍの幅があり、非結合領域は約２．５ｍｍの幅があり、その波の振幅は約４ｍｍであり、波の頻度は約０．０４ｍｍ−１である。弾性組み込み伸びは９０％であり、印加ウエストバンド歪みは１１％である。すべてのウエストバンド接着剤は、らせん状糊剤である。
【０１２３】
Ｔ−以下の構成のウエストバンドを有する典型的な第１ウエスト領域：小さなドットからなる結合部パターンを有する、１０ｇｓｍのＳＭＳ不織布。弾性組み込み伸びは９０％であり、印加ウエストバンド歪みは１１％である。すべてのウエストバンド接着剤は、らせん状糊剤である。
【０１２４】
Ｕ−以下の構成のウエストバンドを有する剛性のある第１ウエスト領域：スルーエア結合を有する（結合部パターンなし）、４５ｇｓｍのサイドバイサイド二成分ポリエチレン／ポリアミド不織布。弾性組み込み伸びは９０％であり、印加ウエストバンド歪みは１１％である。すべてのウエストバンド接着剤は、らせん状糊剤である。
【０１２５】
Ｖ−発泡体第１ウエスト領域は、中国製でサイズ４の、Ｍａｍｙ  Ｐｏｋｏ  Ｂｏｙ／Ｇｉｒｌテープ止め式おむつのものである。
【０１２６】
Ｗ−以下の構成のウエストバンドを有する中間第１ウエスト領域：２４ｇｓｍの、高ロフトスルーエア結合ＰＥ／ＰＥＴ（結合部パターンなし）。弾性組み込み伸びは９０％であり、印加ウエストバンド歪みは１１％である。すべてのウエストバンド接着剤は、らせん状糊剤である。
【０１２７】
Ｘ−以下の構成のウエストバンドを有する低弾力性第１ウエスト領域：波打った結合部パターン（パターンの詳細は、米国特許出願公開第２０１０／２９８７９６号に見られる）を有する、１５ｇｓｍの、サイドバイサイド二成分ポリエチレン／ポリアミド不織布。結合部は約１ｍｍの幅があり、非結合領域は約２．５ｍｍの幅があり、その波の振幅は約４ｍｍであり、波の頻度は約０．０４ｍｍ−１である。弾性組み込み伸びは９０％であり、印加ウエストバンド歪みは１１％である。すべてのウエストバンド接着剤は、らせん状糊剤である。
【０１２８】
【表６】
2017500073.tif 000008
Ｓ−第１ウエスト領域の一例（上記剛性及び弾力性データの製品Ｓと同じもの）
Ｔ−典型的な第１ウエスト領域（上記剛性及び弾力性データの製品Ｔと同じもの）
Ｕ−剛性のある第１ウエスト領域（上記剛性及び弾力性データの製品Ｕと同じもの）
Ｖ−発泡体第１ウエスト領域（上記剛性及び弾力性データの製品Ｖと同じもの）
Ｗ−中間第１ウエスト領域（上記剛性及び弾力性データの製品Ｗと同じもの）
Ｘ−低弾力性第１ウエスト領域（上記剛性及び弾力性データの製品Ｘと同じもの）
【０１２９】
【表７】
2017500073.tif 000009
【０１３０】
Ｙ−以下の構成のウエストバンドを有する第１ウエスト領域の一例：波打った結合部パターン（パターンの詳細は、米国特許出願公開第２０１０／２９８７９６号に見られる）を有する、３０ｇｓｍの、サイドバイサイド二成分ポリエチレン／ポリプロピレン不織布。結合部は約１ｍｍの幅があり、非結合領域は約２．５ｍｍの幅があり、その波の振幅は約４ｍｍであり、波の頻度は約０．０４ｍｍ−１である。弾性組み込み伸びは９０％であり、印加ウエストバンド歪みは１１％である。すべてのウエストバンド接着剤は、らせん状糊剤である。
【０１３１】
Ｚ−以下の構成のウエストバンドを有する典型的な第１ウエスト領域：小さなドットからなる結合部パターンを有する、１０ｇｓｍのＳＭＳ不織布。弾性組み込み伸びは９０％であり、印加ウエストバンド歪みは１１％である。すべてのウエストバンド接着剤は、らせん状糊剤である。
【０１３２】
【表８】
2017500073.tif 000010
Ｙ−第１ウエスト領域の一例（上記波状部の規則性データの製品Ｙと同じもの）
Ｚ−典型的な第１ウエスト領域（上記波状部の規則性データの製品Ｚと同じもの）
【０１３３】
試験方法
シャーシ収縮方法
±１ｍｍまで測定可能な較正した物差し（ＮＩＳＴなどの国内標準により追跡可能）、及び５Ｎの印加した力を±０．００５Ｎまで（５００ｇの印加した力を±０．５ｇまで）正確に測定可能な力ゲージ（好適なゲージは、フロリダ州、Ｌａｒｇｏ所在のＡｍｔｅｋ社から入手可能なＣｈａｔｉｌｌｏｎ  ＤＦＳシリーズである）を用いて、シャーシ収縮を測定する。接触面が幅６０ｍｍ×深さ１０ｍｍである、スプリング付きクランプを力ゲージに取り付けて、試験物品を保持する。全ての試験は、温度約２３℃±２℃及び相対湿度約５０％±２％に保たれた室内で行なわれる。試験前に全ての試料を、温度約２３℃±２℃及び相対湿度約５０％±２％で２時間慣らした。
【０１３４】
この測定のために、シャーシは、連続したバックシート付きの物品の一部分として識別され、いかなる付属のタブ又は付属の弾性タブ／耳部を含むものでない。ウエスト面を伸ばさないように注意を払いながら、吸収性物品を広げる。吸収性物品を水平なベンチ表面上に置くが、バックシートがベンチに向いて、トップシートが上方に向くようにする。物品の後半分に取り付けられたタブ又は耳部が存在するならば、いかなるタブ又は耳部も広げて、平らに置く。物品の後側ウエスト面を特定する。物品をベンチに対して平らにして、ウエスト面の横方向の中心線に位置合わせしながら物品に沿って、較正した物差しを当てる。シャーシの右側遠位縁からシャーシの左側遠位縁までの横方向の距離を測定し、１ｍｍの単位で記録する。これが弛緩時後側シャーシ幅（ＲＢＣＷ）である。
【０１３５】
力ゲージをシャーシの右側遠位縁に取り付ける。取り付けるとき、力ゲージを左から右に引っ張るような向きとする。掴み手面は物品の長手方向の軸に平行であり、ウエスト面の横方向の中心線に中心を合わせて、シャーシの３ｍｍを掴み手面内に置く。
【０１３６】
幅５０ｍｍ×長さ９００ｍｍの両面接着テープ片を、ベンチに接着する。バックシートをテープの付いた表面に向けて物品を保持し、後側ウエスト部をテープの長手寸法に平行にする。ウエスト面の横方向の中心線をテープストリップの横方向の中心線と整列させる。左側シャーシ縁部の最初の３ｍｍを接着テープに固定する。力ゲージを用いて、後側ウエスト部を５Ｎ（５００ｇ）の力がかかるまで延伸する。次に、物品を下し、シャーシの横幅にわたって物品の後側ウエスト部を接着テープに接着する。力ゲージをシャーシから取り外す。ウエスト面の横方向の中心線に沿って位置合わせをしながら、物品に定規をあてがう。シャーシの右側遠位縁からシャーシの左側遠位縁までの横方向の距離を測定し、１ｍｍの単位で記録する。これが、延伸時後側シャーシ幅（ＥＢＣＷ）である。
【０１３７】
この測定を物品の前側ウエスト面に対して類似の方法で繰り返して、弛緩時前側シャーシ幅（ＲＦＣＷ）及び延伸時前側シャーシ幅（ＥＦＣＷ）を求める。シャーシ収縮を次のように計算する：
パーセント後側シャーシ収縮（％ＢＣＣ）＝（ＥＢＣＷ−ＲＢＣＷ）／ＥＢＣＷ×１００
パーセント前側シャーシ収縮（％ＦＣＣ）＝（ＥＦＣＷ−ＲＦＣＷ）／ＥＦＣＷ×１００
前側と後側との間のデルタシャーシ収縮＝（％ＢＣＣ−％ＦＣＣ）の絶対値
【０１３８】
ウエスト面キャリパー
０．０１ｍｍまで測定可能なＯｎｏ  Ｓｏｋｋｉデジタルキャリパー（ＤＧ−３６１０デジタルゲージ付ＧＳ−５０３リニアゲージセンサ（Ｏｎｏ  Ｓｏｋｋｉ社、日本）を用いて、キャリパー測定を行う。フット直径は１ｃｍであり、印加した圧力は３ｋＰａ（０．５ｐｓｉ）である。５秒の滞留時間の後読み取る。±１ｍｍまで測定可能な較正した物差し（ＮＩＳＴなどの国内標準により追跡可能）を用いて、直線的な測定を行う。厚さが均一に１．５ｍｍ±０．１ｍｍ、幅が２０ｃｍ、及び長さが４０ｃｍのステンレス鋼板を、延伸したウエスト部を載せるのに使用する。全ての試験は、温度約２３℃±２℃及び相対湿度約５０％±２％に保たれた室内で行なわれる。試験前に全ての試料を約２３±２℃、及び約５０±２％相対湿度で、２時間慣らす。
【０１３９】
弛緩時ウエスト部キャリパー
ウエスト面を伸ばさないように注意を払って、吸収性物品を広げる。吸収性物品を水平なベンチ表面上に置くが、バックシートがベンチに向いて、トップシートが上方に向くようにする。物品の後半分に取り付けられたタブ又は耳部が存在するならば、いかなるタブ又は耳部も広げて、平らに置く。物品の後側ウエスト面を特定する。較正した物差しを用いて、ウエスト面の横方向の幅をその長手方向中心線に沿って測定する。これが弛緩時のウエスト部長さ（ＲＷＬ）である。ウエスト面の中心線に沿って、その横方向幅の５０％の場所で、ウエスト面に印をつける。これがウエスト部位１（ＷＳ１）である。更に２つの部位を測定し、マークするが、最初のものが５０％マークの左１．５ｃｍの位置（ＷＳ２）であり、２番目が５０％マークの右１．５ｃｍの位置（ＷＳ３）である。
【０１４０】
アンビル上にキャリパーを置き、デジタルコントローラーをゼロにする。アンビル上に物品を置き、トップシートを上方に向け、キャリパーを使用して、厚さをＷＳ１、ＷＳ２、及びＷＳ３において測定する。それぞれ弛緩時ウエスト部キャリパーＲＷＣ１、ＲＷＣ２、及びＲＷＣ３として０．０１ｍｍの単位で報告する。
【０１４１】
低温凍結スプレー（テキサス州のＣｏｎｔｒｏｌ社からＣｙｔｏＦｒｅｅｚｅとして入手可能）を用いて、弾性面部を物品から静かに取り外す。アンビル上に物品を置き、トップシートを上方に向け、キャリパーを使用して、厚さをＷＳ１、ＷＳ２、及びＷＳ３に対応する物品の厚さを測定する。それぞれ弛緩時バックシートキャリパーＲＢＣ１、ＲＢＣ２、ＲＢＣ３として０．０１ｍｍの単位で報告する。
【０１４２】
ウエスト面キャリパーを以下のとおり計算する：
弛緩時ウエスト面キャリパー＝［（ＲＷＣ１−ＲＢＣ１）＋（ＲＷＣ２−ＲＢＣ２）＋（ＲＷＣ３−ＲＢＣ３）］／３。
【０１４３】
この手順を３つの同等の物品に対して繰り返し、平均を０．０１ｍｍの単位で報告する。
【０１４４】
延伸時ウエスト部キャリパー
ウエスト面が伸びないように注意を払って、吸収性物品を広げる。水平な棒を支持する垂直なリングスタンドを組み立てる。スプリング付きクランプをウエスト面を中心にしてシャーシの左側縁部に取り付ける。ウエスト面が垂直に懸かるように、クランプを水平な支持具に取り付ける。３００ｇ±１ｇの質量を有する第２のクランプをウエスト面の中心線を中心にしてシャーシの右側縁部に取り付ける。物品を３０秒間懸け、次いで較正した物差しを用いて、ウエスト面の延伸時の長さを１ｍｍの単位で測定する。これが、延伸時シャーシ長さ（ＣＥＬ）である。ＣＥＬを全ての延伸時ウエスト部測定に使用することができる。
【０１４５】
ウエスト面が伸びないように注意を払って、吸収性物品を広げる。吸収性物品を水平なベンチ表面上に置くが、バックシートがベンチに向いて、トップシートが上方に向くようにする。物品の後半分に取り付けられたタブ又は耳部が存在するならば、いかなるタブ又は耳部も広げて、平らに置く。物品の後側ウエスト面を特定する。較正した物差しを用いて、ウエスト面の横方向の幅をその長手方向中心線に沿って測定する。これが弛緩時のウエスト部長さ（ＲＷＬ）である。ウエスト面の中心線に沿って、その横方向幅の５０％の場所で、ウエスト面に印をつける。これがウエスト部位１（ＷＳ１）である。更に２つの部位を測定し、マークするが、最初のものが５０％マークの左１．５ｃｍの位置（ＷＳ２）であり、２番目が５０％マークの右１．５ｃｍの位置（ＷＳ３）である、ウエスト面の近位縁部、すなわち物品のクロッチ部に最も近い縁部を特定する。クロッチ部に向かい、かつウエスト面に平行な近位縁部から１．５ｃｍの位置に横方向の線をマークする。ＷＳ１を通る長手方向の軸に沿って、先ほど引いたばかりの横線との交差点（ＡＳ１）をマークする。ＷＳ２及びＷＳ３に対して類似の方法で繰り返して、場所ＡＳ２及びＡＳ３を定義する。
【０１４６】
トップシートを上方に向けて、物品をステンレス鋼板上に置く。ウエスト面の中心線でシャーシの左側遠位縁部を、接着テープにより鋼板に固定する。シャーシの右側を掴み、ウエスト面が延伸時シャーシ長さ（ＣＥＬ）と等しい長さに延伸されるまで引っ張る。シャーシの右側を結合部テープにより鋼板に固定する。
【０１４７】
付属物品付き鋼板をキャリパーのアンビル上に置く。物品により被覆されない鋼板の領域上にキャリパーの脚部を置き、デジタル制御をゼロとする。キャリパーを用いて、マークした６箇所で厚さを測定する。延伸時ウエスト部キャリパーＥＷＣ１、ＥＷＣ２、及びＥＷＣ３として、０．０１ｍｍの単位で報告する。低温凍結スプレーを用いて、物品から弾性面部を静かに取り外す。キャリパーのアンビル上に付属物品付きの鋼板を置き、ＷＳ１、ＷＳ２及びＷＳ３に対応する場所における物品の厚さを測定する。それぞれ延伸時バックシートキャリパーＥＢＣ１、ＥＢＣ２、ＥＢＣ３として、０．０１ｍｍの単位で報告する。
【０１４８】
ウエスト面キャリパーを次のように計算する：
延伸時ウエスト面キャリパー＝［（ＥＷＣ１−ＥＢＣ１）＋（ＥＷＣ２−ＥＢＣ２）＋（ＥＷＣ３−ＥＢＣ３）］／３
【０１４９】
この手順を３つの同等の物品に対して繰り返し、平均を０．０１ｍｍの単位で報告する。
【０１５０】
ウエスト面パーセント圧密化
±１ｍｍまで測定可能な較正した物差し（ＮＩＳＴなどの国内標準により追跡可能）を用いて、直線的な測定を行う。全ての試験は、温度約２３℃±２℃及び相対湿度約５０％±２％に保たれた室内で行なわれる。試験前に全ての試料を約２３±２℃、及び約５０±２％相対湿度で、２時間慣らす。
【０１５１】
ウエスト面を伸ばさないように注意を払いながら、吸収性物品を広げる。吸収性物品を水平なベンチ表面上に置くが、バックシートがベンチに向いて、トップシートが上方に向くようにする。物品の後半分に取り付けられたタブ又は耳部が存在するならば、いかなるタブ又は耳部も広げて、平らに置く。物品の後側ウエスト面を特定する。較正した物差しを用いて、腰部形状物の横方向の幅をその中心線に沿って測定し、１ｍｍの単位で報告する。これが弛緩時のウエスト部長さ（ＲＷＬ）である。
【０１５２】
低温凍結スプレー（テキサス州のＣｏｎｔｒｏｌ社からＣｙｔｏＦｒｅｅｚｅとして入手可能）を用いて、ウエスト面部を物品から注意深く取り外す。ウエスト面部を１００ｍＬのジクロロメタンと共にビーカーに入れ、１５分間浸漬して、接着剤を溶解する。ウエスト面部を溶剤から取り出し、弾性体を除去する。ウエスト面部の基材をドラフトチャンバ内に平らにして置いて、乾燥する。水平な棒を支持する垂直なリングスタンドを組み立てる。ウエスト面部と少なくとも同じ幅のスプリング付きクランプを、ウエスト面部の左側縁部に取り付ける。ウエスト面部が垂直に懸かるように、クランプを水平な支持具に取り付ける。３ｇ±１ｇの質量を有し、ウエスト面部と少なくとも同じ幅の第２のクランプをウエスト面部の右側縁部に取り付ける。物品を３０秒間懸け、次いで較正した物差しを用いて、ウエスト面部の延伸時の長さを１ｍｍの単位で測定する。これが、延伸時ウエスト面部長さ（ＥＷＬ）である。
【０１５３】
完全ウエストバンド圧密化を以下のとおり計算する：
パーセント完全ウエストバンド圧密化＝（ＥＷＬ−ＲＷＬ）／ＲＷＬ×１００
【０１５４】
この手順を３つの同等の物品に対して繰り返し、平均を１ｍｍの単位で報告する。
【０１５５】
延伸時ウエストバンド圧密化を以下のとおり計算する：
延伸時パーセントウエストバンド圧密化＝（ＥＷＬ−ＲＷＬ）／ＲＷＬ×１００−（１−（（ＣＥＬ−ＲＷＬ）／ＣＥＬ）＊１００）
【０１５６】
この手順を３つの同等の物品に対して繰り返し、平均を１ｍｍの単位で報告する。
【０１５７】
テープ止め式おむつ製品上のウエストバンド及び外部レッグカフのギャザーの頻度
ウエストバンド及び外側レッグカフのギャザーの頻度測定を、テンプレート（図１０）を用いて、ギャザーを手動で数えて実行する。テンプレートは、幅が２５ｍｍで、長さが８０ｍｍで、厚さが６ｍｍであり、テンプレートの中心部には、幅５ｍｍで長さが３０ｍｍの窓が開いている。幅６ｍｍ、長さ８０ｍｍ、厚さ６ｍｍのリップを、テンプレートの後側縁部と同一平面をなすように取り付ける。ウエストバンドを伸ばさないように注意しながら、物品を水平なベンチ上に置くが、バックシートが下方を向くようにする。図３を参照して、物品上のウエストバンド２０００のＣＤ及びＭＤ中心を目視により特定する。テンプレートを、ウエストバンド上にウエストバンドに平行に置き、窓の中に中心点が来るようにする。窓の中に見えるギャザーの数を、手動で数えて記録する。再び、ウエストバンドを伸ばさないように注意しながら、物品をひっくり返して、トップシートが下方を向くようにする。ウエストバンドのＣＤ及びＭＤ中心を、目視により特定する。テンプレートを、ウエストバンド上にウエストバンドに平行に置き、窓の中に中心点が来るようにする。窓の中に見えるギャザーの数を、手動で数えて記録する。同様にして、ウエストバンド１０００に対してこれらを、２回の測定で繰り返す。４つの値を平均し、３０ｍｍあたりのギャザー０．１本の単位で報告する。
【０１５８】
脚部ガスケットシステムを伸ばさないように注意しながら、物品を水平なベンチ上に置くが、バックシートが下方を向くようにする。図３を参照して、物品上の脚部ガスケットシステムギャザー７０のＣＤ及びＭＤ中心を、目視により特定する。テンプレートを、左脚部ガスケットシステム上に、同システムに平行に置き、窓の中に中心点が来るようにする。窓の中に見えるギャザーの数を、手動で数えて記録する。右側の脚部ガスケットシステムについても、同様にして繰り返す。２つの値を平均し、ギャザー０．１本の単位で報告する。２つの値を平均し、３０ｍｍあたりのギャザー０．１本の単位で報告する。
【０１５９】
脚部ガスケットシステムのギャザー数の、ウエストバンドのギャザー数に対する比率を次のように計算する：
比率＝脚部ガスケットシステムの平均ギャザー数／ウエストバンドの平均のギャザー数
【０１６０】
この手順を３つの同等の物品に対して繰り返し、平均を０．０１単位で報告する。
【０１６１】
ＣＤ長さ比率
ＣＤ長さ比率は、ここで定義される、延伸時シャーシ長さ（ＣＥＬ）の、延伸時後側シャーシ幅（ＥＢＣＷ）に対する比率である。
【０１６２】
ＣＤ長さ比率を次のように計算する：
ＣＤ長さ比率＝ＣＥＬ／ＥＢＣＷ
【０１６３】
この手順を３つの同一の物品に対して繰り返し、平均として報告する。
【０１６４】
第１ウエスト領域の剛性及び第１ウエスト領域の弾力性測定法
第１ウエスト領域の剛性及び第１ウエスト領域の弾力性が、２５Ｎのロードセルを装着した、コンピュータインターフェイスを有する延伸引張試験機（好適な計器は、ミネソタ州、Ｅｄｅｎ  Ｐｒａｉｒｉｅ所在の、ＭＴＳ  Ｓｙｓｔｅｍｓ社から入手可能な、ＭＴＳ  Ｉｎｓｉｇｈｔ  Ｍｏｄｅｌ  １  ＥＬであり、Ｔｅｓｔ  Ｗｏｒｋｓ  ４ソフトウェアを用いる）の一定速度を用いて測定される。図２０及び図２１（９０°回転）にも示されているプランジャ３００が、上側の被検物可動固定具に用いられ、支持プラットフォーム３１０が下側の、被験物不動固定具として用いられる。すべての試験は、温度２３℃±２℃、及び相対湿度５０％±２％に保たれた空調室で行われる。
【０１６５】
プランジャ３００のフット部品３０１は、厚さ１２ｍｍの、２枚の滑らかなＰｌｅｘｉｇｌａｓシート３０２及び３０３により作られ、利用可能なロードセル能力を最大化するようになっている。シャフト３０４は、引張試験機に適合するように機械加工され、プランジャを安定させて、ベース支持プラットフォーム３１０の試験面３１１に対して垂直なアライメントを維持させるためのロックカラー３０５を有する。フット部品３０１は、奥行３００ｍｍで、高さが５０ｍｍ、幅が５０ｍｍであり、材料接触面３０７上に最小の半径を有し、直角３０６を形成する。フット部品３０１は、フット部品の底縁部３０８が試験面３１１の面に対して平行になるように、シャフト３０４に固定される。
【０１６６】
下側固定具３１０が、引張試験機に合うように機械加工したシャフト３１４及びロッキングカラー３１５で、引張試験機に取り付けられる。横方向に移動可能な支持プラットフォーム３１２がレール３１３に取り付けられ、プラットフォーム３１２は、調整後その位置を係止するための止めネジ３１６を有する。試験面３１１は、幅が５００ｍｍで奥行きが３００ｍｍの研磨したアルミニウムから作られ、プラットフォーム３１２の上に取り付けられる。プラットフォーム３１２は、レール３１３の上面の更に１００ｍｍ上に延びている。
【０１６７】
試験前に、温度２３℃±２℃、及び相対湿度５０％±２％で２時間、試料を慣らす。４枚の両面接着テープ（例えば、ミネソタ州、Ｓｔ．Ｐａｕｌ所在の３Ｍ社から入手できる、３Ｍブランドのテープ）が、物品の衣類に面した面に接着され、被検体を試験プラットフォーム３１１に取り付ける。バックシートを上方に向けて、物品をラボベンチ上に置く。試験されるウエスト部で、物品が平らになるまで物品を横方向に延伸する。延伸した物品を、ベンチに固定する。ウエスト縁部３２１から始めて、横方向エッジ３５０まで、指定の距離（例えば、ウエスト縁部から１５ｍｍ内側、又はウエスト縁部から１０ｍｍ内側等々）で測定し、マークする。反対側の横方向エッジについても繰り返す。物品の後側を横切る線３２２を、上記の２点を結んで引く。左側縁部３５０に、幅１５ｍｍで長さ３０ｍｍの接着テープのパッチを、その長さ側の縁部が物品の縁部３５０と同一平面となるように、かつその幅側の縁部が線３２２から内側に延伸するように位置させる。物品の右側横方向縁部についても、同様にして繰り返す。物品の長手方向中心線１００から２６ｍｍ、物品の左側遠位縁部に向かって横方向に測り、マークする（距離３２５）。１５ｍｍ×３０ｍｍの接着テープの別のパッチを、長さ側の縁部が物品の長手方向軸線に平行に、幅側の縁部が線３２２から内側に延伸するように位置させる。物品の右側についても、同様にして繰り返す。プランジャのフット部３０１の底面３０８が、試験面３１１の上面の５．００ｍｍ±０．０１ｍｍ上方になるように、ゲージ高さ（距離３１７ａ）を設定する。フット部３０１の最も近い方の面が、検査面３１８（距離３１７）の側縁部から５．００ｍｍ±０．０１ｍｍ離れてずれるように、プラットフォーム３１２の位置を設定する。引張試験機をプログラムし、以下のステップを５回完了する：クロスヘッドを、５１ｍｍ／分の速度で下方に１５．００ｍｍ下げることにより、延伸のサイクルを実行するが、その間、変位と力のデータを、１００Ｈｚの頻度で収集する；延伸のサイクルを完了した後、２秒待機する；クロスヘッドを５１ｍｍ／分の速度で１５．００ｍｍ上げることにより、弛緩のサイクルを実行するが、その間、変位と力のデータを、１００Ｈｚの頻度で収集する；弛緩のサイクルを完了した後、３０秒待機する。
【０１６８】
図２０及び２２を参照して、物品を、衣類に面する面を下向きにして試験面３１１に、貼り付けたばかりの両面テープを用いて接着する。まだ物品が完全に延伸した状態で、物品の長手方向中心線を、フット部３０１の中心に位置合わせし、線３２２を、試験面３１１の縁部に位置合わせする。この位置合わせを維持しながら、物品を下げて、試験面３１１に接着する。接着後、凸状又は凹状の面をプランジャ３０１の底面３０８に提供するように、前側ウエスト縁部３２１を調整することができる場合、試験面３１１の試験縁部３１８に対して凹状の面を提供するようにウエスト縁部３２１を配列する。物品の長手方向のいかなる収縮（例えば、レッグカフ弾性体の収縮）も、折重なり部３２３、３２４が、試験面３１１から遠ざかるように形成されるように、被検体３２０の残りの部分を試験面３１１上に配列する。物品中のすべての材料が、折り重なり部３２４まで平らに広げられた状態になるように確保し、材料がめくれあがったり、屈曲したり、ねじれたりしないようにする。マークした位置３２２とウエスト縁部３２１との間の部位を除く、被検体３２０のすべての部位が、プランジャの動作に干渉しないように確保する。重りブロック３３０を用いて、物品の後側をプランジャの通り道から外すこともできる。
【０１６９】
ロードセル及びクロスヘッド位置をゼロに合わせる。試験を開始して、データを収集する。テストワークス４ソフトウェアにより生成された生のデータを用いてエクセルで作ったグラフの一例が、図２３に示されている。得られる力（Ｎ）対変位（ｍｍ）曲線から、第２の延伸サイクル中のピーク力（Ｎ）を計算し、０．１Ｎ単位で報告する。また、第５の弛緩サイクル中下でのエリア（ｍＪ）を計算し、０．１ｍＪ単位で報告する。全部で１５つの実質的に同一の物品で試験を繰り返す。ウエスト領域の剛性を、（第２のサイクルからの）１５回の繰り返しから得られる平均のピーク力として、０．１Ｎ単位で報告する。ウエスト領域の弾力性を、１５回の繰り返しから得られる平均のエリアとして、０．１ｍＪ単位で報告する。
【０１７０】
ウエストアセンブリの波状部の規則性及び一体形状性の測定方法
波状部の規則性
第１ウエスト領域内の第２区域の縁部で、製品を横切るように線を引く。この線はウエスト縁部に平行であり、ウエスト縁部の１５ｍｍ内側に存する必要がある。製品の１つの長手方向縁部から、製品の反対側の長手方向縁部に、上で引いた線を辿る。引いた線を横切るようにしてぶつかるそれぞれの波状部の頂点に対して（すなわち、製品がｚ方向で変形する位置であり、その変形が、引かれた線に沿って隣接する垂直的変形部に対して、垂直方向の頂点に到達する位置）、現在の波状部の頂点から、引かれた線に沿って次の波状部の頂点までの距離をミリメートル単位で測定する。これらの個別の距離のそれぞれを、ミリメートル単位で記録する。すべての個別の距離を平均する。個別の距離のそれぞれについて、その個別の距離と、すべての個別の距離の平均値との間の差分の絶対値を計算する。１ｍｍ未満の差分のパーセンテージを計算する。このパーセンテージを、波状部の規則性として記録する。
【０１７１】
波状部の一体形状性
第１ウエスト領域内のウエストアセンブリの内側縁部で、製品を横切るように線を引く。ウエストバンドが存在しない、あるいは製品のウエストバンドが２５ｍｍ超の長さである場合、上の線は、ウエスト縁部に平行であり、かつウエスト縁部から２５ｍｍ内側である必要がある。ウエストバンドが２５ｍｍ未満の長さである場合には、上の線は、ウエストバンドの内側縁部に引く必要がある。製品の１つの長手方向縁部から、製品の反対側の長手方向縁部に、第１ウエスト領域３６のウエスト縁部１４を辿る。それぞれの波状部の頂点（すなわち、製品がｚ方向で変形する位置であり、その変形が、隣接する垂直的変形部に対して、垂直方向の頂点に到達する位置）を、ウエスト縁部に沿って数え、波状部の頂点の総数を記録する。ウエスト縁部１４に沿ってぶつかるそれぞれの波状部の頂点に対して、波状部の頂点から、長手方向内側に延びるリッジの経路を辿る。リッジは、長手方向に走る連続的な、一連の、局地的ｚ方向高所点であり、ウエスト縁部に平行な交線を引くことにより、その長さ方向に沿った任意の点において、垂直方向の頂点の定義を満たす点として定義される。引かれた線に至る前に、リッジが破断している（すなわち、単一のリッジの定義にそれ以上適合しないために、それ以上リッジを辿ることができなくなる位置に至る）場合には、これを破断した波状部として記録する。リッジが２本以上の経路に分岐し、それぞれの経路が引かれた線に至る前に、リッジの定義を満たす場合には、これを破断した波状部として記録する。リッジが、引かれた線に至る前に、先に数えた波状部の頂点のリッジに合流している場合には、これを破断した波状部として記録する。リッジが、上述の結果のいかなるものにもならずに、引かれた線に至る場合、これを完全な波状部として記録する。波状部の頂点の総数に対する、完全な波状部のパーセンテージを計算する。このパーセンテージを、波状部の一体形状性として記録する。
【０１７２】
本明細書に開示した寸法及び値は、列挙された正確な数値に厳しく制限されるものとして理解すべきではない。むしろ、特に明記しない限り、かかる各寸法は、列挙される値及びその値の周辺の機能的に同等の範囲の両方を意味するよう意図される。例えば、「４０ｍｍ」として開示される寸法は、「約４０ｍｍ」を意味することが意図される。
【０１７３】
「発明を実施するための形態」で引用した全ての文献は、関連部分において、本明細書に参照により組み込まれるが、いかなる文書の引用も、それが、本明細書において詳述される使い捨て吸収性物品に関して先行技術であることを認めるものとしてみなされるべきではない。本明細書における用語のいずれかの意味又は定義が、参照により組み込まれる文献における用語のいずれかの意味又は定義と対立する範囲においては、本明細書においてその用語に付与した意味又は定義を適用するものとする。
【０１７４】
本明細書において詳述される使い捨て吸収性物品の特定の実施形態が図示され説明されてきたが、他の様々な変更及び修正が、本発明の趣旨及び範囲から逸脱することなく実施され得ることは、当業者には明白であろう。したがって、本発明の範囲内に含まれるそのような全ての変更及び修正は、添付の特許請求の範囲にて網羅することを意図したものである。
【図１】
2017500073.tif 000011
【図２】
2017500073.tif 000012
【図３】
2017500073.tif 000013
【図４】
2017500073.tif 000014
【図５】
2017500073.tif 000015
【図６】
2017500073.tif 000016
【図７】
2017500073.tif 000017
【図８】
2017500073.tif 000018
【図９ａ】
2017500073.tif 000019
【図９ｂ】
2017500073.tif 000020
【図９ｃ】
2017500073.tif 000021
【図９ｄ】
2017500073.tif 000022
【図１０】
2017500073.tif 000023
【図１１】
2017500073.tif 000024
【図１２Ａ】
2017500073.tif 000025
【図１２Ｂ】
2017500073.tif 000026
【図１２Ｃ】
2017500073.tif 000027
【図１２Ｄ】
2017500073.tif 000028
【図１３Ａ】
2017500073.tif 000029
【図１３Ｂ】
2017500073.tif 000030
【図１３Ｃ】
2017500073.tif 000031
【図１３Ｄ】
2017500073.tif 000032
【図１４】
2017500073.tif 000033
【図１５】
2017500073.tif 000034
【図１６】
2017500073.tif 000035
【図１７】
2017500073.tif 000036
【図１８】
2017500073.tif 000037
【図１９】
2017500073.tif 000038
【図２０】
2017500073.tif 000039
【図２１】
2017500073.tif 000040
【図２２】
2017500073.tif 000041
【図２３】
2017500073.tif 000042
【国際調査報告】
2017500073.tif 000043
2017500073.tif 000044
2017500073.tif 000045